(57)【要約】      （修正有）【課題】フェデレイテッドネットワークトラフィック処理のためのシステム及び方法を提供する。【解決手段】システム１００は、基地局に接続されたネットワークデバイスであって、第１のＲＦ信号に基づいて（第１のデータと第１のＶＲＦインスタンス識別子を含む）第１のデータパケットを生成するように構成された第１のモデムプールの第１のモデム及び第２のＲＦ信号に基づいて（第２のデータと第２のＶＲＦインスタンス識別子を含む）第２のデータパケットを生成するように構成された第２のモデムプールの第２のモデムを有する基地局を含む。システムはさらに、第１のデータパケットを受信し、ネットワークを介して、第１のパケットを第１のデバイスに送信し、第２のデータパケットを受信し、第２のパケットを第２のデバイスに送信するように構成された、ネットワークデバイスを含む。【選択図】図１
2018201192.tif 000002
【特許請求の範囲】
【請求項１】
基地局（１１８）を備えたシステムであって、前記基地局（１１８）が、
第１のモデムプール（１２５）の第１のモデム（１２４）であって、第１の無線周波数（RF）信号（３１４）に基づいて第１のデータパケット（３１６）を生成するように構成され、前記第１のデータパケット（３１６）が、第１のデータ（３２０）と第１の仮想ルーティング及び転送（VRF）インスタンス識別子（３２２）とを含む、第１のモデム（１２４）、並びに
第２のモデムプール（１２７）の第２のモデム（１２６）であって、第２のRF信号（３３０）に基づいて第２のデータパケット（３３２）を生成するように構成され、前記第２のデータパケット（３３２）が、第２のデータ（３４０）と第２のVRFインスタンス識別子（３４２）を含む、第２のモデム（１２６）を備え、前記システムが、更に、
前記基地局（１１８）に接続されたネットワークデバイス（１４２）を備え、前記ネットワークデバイス（１４２）が、
前記第１のデータパケット（３１６）を受信し、ネットワークを介して第１のパケット（３１８）を第１のデバイスに送信するように構成され、前記第１のパケット（３１８）が、前記第１のデータ（３２０）、及び前記第１のVRFインスタンス識別子に対応する第１のVRFインスタンスに関連付けられた第１のインジケータ（３２４）を含む第１のヘッダーを含み、前記ネットワークデバイス（１４２）が、更に、
前記第２のデータパケット（３３２）を受信し、前記ネットワークを介して第２のパケット（３３４）を第２のデバイスに送信するように構成され、前記第２のパケット（３３４）が、前記第２のデータ（３４０）、及び前記第２のVRFインスタンス識別子に対応する第２のVRFインスタンスに関連付けられた第２のインジケータ（３４４）を含む第２のヘッダーを含む、システム。
【請求項２】
前記ネットワークデバイス（１４２）が、更に、
前記ネットワークを介して前記第１のデバイスから第３のパケット（４０２）を受信するように構成され、前記第３のパケット（４０２）が、第３のデータ（４１０）、及び前記第１のVRFインスタンスに関連付けられた第３のインジケータ（３２４）を含む第３のヘッダーを含み、前記ネットワークデバイス（１４２）が、更に、
前記基地局（１１８）の前記第１のモデム（１２４）に第３のデータパケット（４０４）を送信するように構成され、前記第３のデータパケット（４０４）が、前記第３のデータ（４１０）と前記第１のVRFインスタンス識別子（３２２）を含む、請求項１に記載のシステム。
【請求項３】
第１のユーザに関連付けられたビーム形成重み付け（１１０、２０８）の第１の組に基づいて、第３のRF信号（４０６）を調整するように構成されたビーム形成コントローラ（１０８、２０６）を更に備え、前記第１のユーザが、前記第１のVRFインスタンスに対応し、前記第３のRF信号（４０６）が、前記第３のデータパケット（４０４）に基づいて生成される、請求項２に記載のシステム。
【請求項４】
第３のRF信号（４０６）を送信するように構成された無線周波数装備（RFE）（１０６）を更に備え、前記第３のRF信号（４０６）が、前記ネットワークデバイス（１４２）から前記基地局（１１８）で受信された第３のデータパケット（４０４）に基づいて前記基地局（１１８）で生成され、前記第３のデータパケット（４０４）が、前記第１のVRFインスタンス識別子（３２２）を含む、請求項１に記載のシステム。
【請求項５】
RF信号の複数の組を生成するように構成されたチャネライザー（１０４、２０４）を更に備え、RF信号の各組が、RFスペクトルの対応する一部分に関連付けられ、前記RF信号の複数の組が、ユニークユーザ（１６０、１６４、１６８）に関連付けられた前記RFスペクトルの特定の一部分に関連付けられた少なくとも１つのRF信号を含む、請求項４に記載のシステム。
【請求項６】
第１の場所においてオーバーレイパターンで前記RF信号の複数の組を展開するように構成されたセルラーシステム（２０２）を更に備え、前記RFスペクトルの前記特定の一部分が、前記第１の場所において且つ前記ユニークユーザ（１６０、１６４、１６８）に関連付けられたデバイスによってアクセス可能であり、前記ユニークユーザ（１６０、１６４、１６８）に関連付けられていないデバイスによってアクセス不能である、請求項５に記載のシステム。
【請求項７】
前記基地局（１１８）が、複数のVRFインスタンス識別子に関連付けられた複数のモデムプール（１２５、１２７、１２９）を備え、前記複数のモデムプール（１２５、１２７、１２９）の各モデム（１２４、１２６、１２８）が、対応するVRFインスタンス識別子に関連付けられたトラフィックを処理するように構成されている、請求項６に記載のシステム。
【請求項８】
１以上のアンテナを備えたペイロード（１８４）、
少なくとも１つの無線周波数（RF）チャネルの異なるRFチャネルへのマッピングを示すチャネルマッピングデータ（１８６）を記憶するように構成されたメモリ（１８２）、及び
前記チャネルマッピングデータ（１８６）に基づいて且つ第１のデバイスに関連付けられた第１のサービスプロバイダに基づいて、前記１以上のアンテナから前記第１のデバイスへの第２のRF信号の送信を開始するように構成されたプロセッサ（１８０）を備え、
前記第２のRF信号が、無線周波数装備（RFE）から前記１以上のアンテナで受信された第１のRF信号に基づき、前記第１のRF信号が、第１のRFチャネルに対応し、前記第２のRF信号が、前記第１のRFチャネルとは異なる第２のRFチャネルに対応する、人工衛星（１０２）。
【請求項９】
前記プロセッサ（１８０）が、前記チャネルマッピングデータに基づいて且つ第２のデバイスに関連付けられた第２のサービスプロバイダに基づいて、前記１以上のアンテナから前記第２のデバイスへの第４のRF信号の送信を開始するように更に構成され、前記第４のRF信号が、前記RFEから前記１以上のアンテナで受信された第３のRF信号に基づき、前記第３のRF信号が、前記第１のRFチャネルとは異なる第３のRFチャネルに対応し、前記第４のRF信号が、前記第３のRFチャネル及び前記第２のRFチャネルとは異なる第４のRFチャネルに対応する、請求項８に記載の人工衛星（１０２）。
【請求項１０】
基地局（１１８）からネットワークデバイス（１４２）で第１のデータパケット（３１６）を受信することであって、前記第１のデータパケット（３１６）が、第１のデータ（３２０）と第１の仮想ルーティング及び転送（VRF）インスタンス識別子（３２２）とを含む、受信すること、
ネットワークを介して前記ネットワークデバイス（１４２）から第１のデバイスへ第１のパケット（３１８）を送信することであって、前記第１のパケット（３１８）が、前記第１のデータ（３２０）、及び第１のVRFインスタンスに関連付けられた第１のインジケータ（３２４）を含む第１のヘッダーを含む、送信すること、
前記基地局（１１８）から前記ネットワークデバイス（１４２）で第２のデータパケット（３３２）を受信することであって、前記第２のデータパケット（３３２）が、第２のデータ（３４０）と第２のVRFインスタンス識別子（３４２）を含む、受信すること、並びに
前記ネットワークを介して前記ネットワークデバイス（１４２）から第２のデバイスへ第２のパケット（３３４）を送信することであって、前記第２のパケット（３３４）が、前記第２のデータ（３４０）、及び第２のVRFインスタンスに関連付けられた第２のインジケータ（３４４）を含む第２のヘッダーを含む、方法。
【発明の詳細な説明】
【技術分野】
【０００１】
本開示は、概して、ネットワークトラフィックを処理することに関する。
【背景技術】
【０００２】
ティア１移動体通信事業者（MNO）とも称されるセルラーネットワークプロバイダは、携帯電話、タブレットコンピュータなどの、無線デバイスを介して、受信契約者に電話、データ、及び他のサービスを提供するために、セルラーシステムを使用することができる。セルラーネットワークプロバイダは、受信契約者にセルラーサービスを提供することにおいて使用される（ヘルツ（Hz）で測定された）ネットワーク帯域幅と（秒当たりのビット数（bps）で測定された）容量がそこから由来するところの指定された周波数スペクトル（例えば、周波数範囲）を有する。この帯域幅と容量は、セルラーネットワークプロバイダによって提供されるサービスを提供するために必要とされるものよりも大きい。収益を増加させるために、セルラーネットワークプロバイダは、帯域幅、容量、及びサービスの一部分を、仮想移動体通信事業者（MVNO）又は仮想通信事業者（VNO）としても知られる、ティア２事業者に売ることができる。このモデルでは、ティア１事業者が、さもなければ「座礁した（stranded）」（すなわち、VARに収益を提供するために使用されない）帯域幅、容量、及びサービスを再販する、付加価値再販業者（VAR）と称される。その後、セルラーシステムは、ティア２事業者の受信契約者に、指定されたセルラー又はネットワークサービスへのアクセスを提供するために使用される。セルラーシステムは、特定のシステムにおいて異なるティア２事業者のためのトラフィックを処理することができるが、第１のティア２事業者に関連付けられたトラフィックは、第２のティア２事業者に関連付けられたトラフィックから孤立しておらず、それは、ティア２事業者に対する潜在的な安全性のリスク（例えば、特定のティア２事業者に関連付けられたトラフィックが、異なるティア２事業者に関連付けられたデバイスによって処理され提供されるリスク）をもたらし得る。
【発明の概要】
【０００３】
特定の一実施態様では、システムが、第１のモデムプールの第１のモデムを含む基地局を含む。第１のモデムは、第１の無線周波数（RF）信号に基づいて第１のデータパケットを生成するように構成されている。第１のデータパケットは、第１のデータと第１の仮想ルーティング及び転送（VRF）インスタンス識別子とを含む。基地局は、第２のモデムプールの第２のモデムも含む。第２のモデムは、第２のRF信号に基づいて第２のデータパケットを生成するように構成されている。第２のデータパケットは、第２のデータと第２のVRFインスタンス識別子とを含む。該システムは、基地局に接続され且つ第１のデータパケットを受信しネットワークを介して第１のパケットを第１のデバイスに送信するように構成された、ネットワークデバイスも含む。第１のパケットは、第１のデータ、及び第１のVRFインスタンス識別子に対応する第１のVRFインスタンスに関連付けられた第１のインジケータを含む第１のヘッダーを含む。ネットワークデバイスは、第２のデータパケットを受信しネットワークを介して第２のパケットを第２のデバイスに送信するように更に構成されている。第２のパケットは、第２のデータ、及び第２のVRFインスタンス識別子に対応する第２のVRFインスタンスに関連付けられた第２のインジケータを含む第２のヘッダーを含む。特定の一実施態様では、各VRFインスタンスが、異なる「閉じたユーザグループ（CUG）」（例えば、MVNO、VNO、又はそれらの民間企業の（１以上の）ネットワークの物理的なインフラを外注しようとしている他の政府若しくは企業顧客などの、異なるティア２事業者又はサービスプロバイダ）に関連付けられている。そして、他のVRFインスタンスに関連付けられたデータとは異なるように、特定のVRFインスタンスに関連付けられたデータをカプセル化し処理することが、他のVRFインスタンス（例えば、他のCUG）に関連付けられたトラフィックからの特定のVRFインスタンス（例えば、特定のユーザ）に関連付けられたトラフィックの孤立を可能にする。
【０００４】
別の特定の一実施態様では、人工衛星が、１以上のアンテナを含むペイロードを含む。人工衛星は、異なるRFチャネルへの少なくとも１つの無線周波数（RF）チャネルのマッピングを示す、チャネルマッピングデータを記憶するように構成されたメモリを含む。人工衛星は、チャネルマッピングデータに基づいて、且つ、第１のデバイスに関連付けられた第１のサービスプロバイダに基づいて、１以上のアンテナから第１のデバイス（例えば、受信契約者のデバイス）への第２のRF信号の送信を開始するように構成されたプロセッサを更に含む。第２のRF信号は、無線周波数装備（RFE）から１以上のアンテナで受信された第１のRF信号に基づく。第１のRF信号は、第１のRFチャネルに対応し、第２のRF信号は、第１のRFチャネルとは異なる第２のRFチャネルに対応する。サービスプロバイダ（例えば、ティア２事業者などのCUG）を種々のRFチャネルにマッピングすることによって、人工衛星は、種々のRFチャネルを使用して、種々のCUGに関連付けられたトラフィックが通信されることを可能にし、それによって、CUG毎（例えば、サービスプロバイダ毎、MVNO毎、又は政府若しくは民間エンティティ毎）の方式でトラフィックを孤立させることができる。
【０００５】
別の特定の一実施態様では、方法が、基地局からネットワークデバイスで第１のデータパケットを受信すること、ネットワークを介してネットワークデバイスから第１のデバイスへ第１のパケットを送信すること、基地局からネットワークデバイスで第２のデータパケットを受信すること、及びネットワークを介してネットワークデバイスから第２のデバイスへ第２のパケットを送信することを含む。第１のデータパケットは、第１のデータと第１のVRFインスタンス識別子を含む。第１のパケットは、第１のデータ、及び第１のVRFインスタンスに関連付けられた第１のインジケータを含む第１のヘッダーを含む。第２のデータパケットは、第２のデータと第２のVRFインスタンス識別子を含む。第２のパケットは、第２のデータ、及び第２のVRFインスタンスに関連付けられた第２のインジケータを含む第２のヘッダーを含む。
【図面の簡単な説明】
【０００６】
【図１】種々の仮想ルーティング及び転送（VRF）インスタンスに関連付けられたネットワークトラフィックを処理するシステムの一実施態様の第１の一実施例を示すブロック図である。
【図２】種々のVRFインスタンスに関連付けられたネットワークトラフィックを処理するシステムの一実施態様の第２の一実施例を示すブロック図である。
【図３】図１及び図２のシステムを介して通信されるネットワークトラフィックの第１の一実施例を示すラダー図である。
【図４】図１及び図２のシステムを介して通信されるネットワークトラフィックの第２の一実施例を示すラダー図である。
【図５】デバイスに関連付けられたサービスプロバイダに基づいて、デバイスから受信されたネットワークトラフィックを処理する方法の一実施例のフローチャートである。
【図６】デバイスに関連付けられたサービスプロバイダに基づいて、デバイスに送信されたネットワークトラフィックを処理する方法の一実施例のフローチャートである。
【図７】種々の仮想ルーティング及び転送（VRF）インスタンスに関連付けられたネットワークトラフィックを処理する方法の一実施例のフローチャートである。
【発明を実施するための形態】
【０００７】
図面を参照しながら特定の実施態様が説明される。説明において、共通の特徴は図面全体を通して共通の参照番号によって指定される。本明細書で使用され得る際に、様々な用語は、特定の実施態様を説明することのみが目的で使用され、限定することを意図していない。例えば、単数形「１つの（ａ、ａｎ）」及び「その（ｔｈｅ）」は、文脈が明らかにそうでないことを示さない限りは、複数形も含むことが意図されている。用語「備える（comprise、comprises、及びcomprising）」は、「含む（include、includes、又はincluding）」と相互交換可能に使用され得ることが更に理解され得る。更に、用語「wherein」は、「where」と相互交換可能に使用され得ることが理解されるだろう。本明細書で使用される際に、「例示的な（exemplary）」は、一実施例（an example）、一実施態様（an implementation）、及び／又は一態様（an aspect）を示し得、限定的なものとして解釈されるべきではなく、又は好適さ若しくは好適な一実施態様を示すものとして解釈されるべきでない。本明細書で使用される際に、構造、構成要素、動作などの要素を変形するために使用される、順序を示す用語（例えば、「第１の（first）」、「第２の（second）」、「第３の（third）」など）は、それ自体、別の１つの要素に対するその要素の優先度又は順序を示すものではないが、（順序を示す用語の使用を除いて）むしろ単に同じ名前を有する別の１つの要素からその要素を区別するものである。本明細書で使用される際に、用語「組（set）」は、１以上の要素の群を指し、用語「複数の（plurality）」は、多数の要素を指す。
【０００８】
本開示では、「決定する、判定する（determining）」、「計算する（calculating）」、「シフトする（shifting）」、「調整する（adjusting）」などは、１以上の動作が如何にして実行されるかを説明するために使用され得る。そのような用語は、限定的なものとして解釈されるべきではなく、類似の動作を実行するために他の技術が利用され得ることに留意すべきである。更に、本明細書で言及される際に、「生成する（generating）」、「計算する（calculating）」、「使用する（using）」、「選択する（selecting）」、「評価する（accessing）」、及び「決定する、判定する（determining）」は、相互交換可能に使用され得る。例えば、パラメータ（又は信号）を「生成する」、「計算する」、又は「決定、判定する」ことは、そのパラメータ（又はその信号）を能動的に生成する、計算する、又は決定若しくは判定することを指し得、又は別の構成要素若しくはデバイスなどによって既に生成されたパラメータ（又は信号）を使用する、選択する、又は評価することを指し得る。本明細書で使用される際に、「接続され（coupled）」は、「通信可能に接続され（communicatively coupled）」、「電気的に接続され（electrically coupled）」、又は「物理的に連結され（physically coupled）」を含み、更に（又は代替的に）それらの任意の組み合わせも含み得る。２つのデバイス（又は構成要素）は、１以上の他のデバイス、構成要素、ワイヤー、バス、ネットワーク（例えば、有線ネットワーク、無線ネットワーク、又はそれらの組み合わせ）を介して直接的に又は間接的に接続され（例えば、通信可能に接続され、電気的に接続され、又は物理的に連結され）得る。電気的に接続されている２つのデバイス（又は構成要素）は、例示的で非限定的な実施例として、同じデバイス又は異なるデバイス内に含まれ、電子機器、１以上のコネクタ、又は誘導結合を介して接続され得る。ある実施態様では、電気通信などにおいて、通信可能に接続されている２つのデバイス（又は構成要素）は、１以上のワイヤー、バス、ネットワークなどを介して、直接的に又は間接的に電気信号（デジタル信号又はアナログ信号）を送受信し得る。本明細書で使用される際に、「直接的に接続され」は、介入する構成要素なしに接続され（例えば、通信可能に接続され、電気的に接続され、又は物理的に連結された）２つのデバイスを含み得る。
【０００９】
本明細書で開示される実施態様は、セルラーシステム内でユーザ毎の方式でネットワークトラフィックの孤立を提供するためのシステム及び方法を対象とする。ある実施態様では、本明細書で説明されるシステム及び方法が、フェデレイテッドネットワークを参照しながら説明される。他の実施態様では、本明細書で説明されるシステム及び方法が、他の種類のネットワークに適用される。セルラーシステムは、ネットワークデバイス（例えば、「コアネットワーク」デバイス）、基地局、ビーム形成コントローラ、無線周波数（RF）装備（RFE）、チャネライザー、又は他の構成要素などの、多数の構成要素を含む。セルラーシステムの事業者（例えば、ティア１事業者）は、様々なネットワークサービスを提供するために、他のCUGにセルラーシステムへのアクセスを販売し得る。本明細書で使用される際に、「CUG」は、ティア１事業者に関連付けられた装備へのアクセスのためにお金を払う、ティア２事業者（例えば、サービスプロバイダ）を指す。利便性のために、CUGのメンバーはユーザと称される。ティア２事業者は、非限定的な実施例として、仮想移動体通信事業者（MVNO）及び仮想通信事業者（VNO）を含む。ティア２事業者によって提供されるサービスの受信契約をした人は、本明細書で受信契約者と称される。各ユーザ（例えば、各ティア２事業者）に関連付けられたネットワークトラフィックを孤立させることによって、説明されるシステム及び方法は、セルラーシステムによって処理されるデータの安全性を高める。更に、セルラーシステムの柔軟性は増加する。何故ならば、種々のCUGに関連付けられたデータは、（全てのCUGに対する一組の全体規則又は基準の代わりに）種々の規則又は基準に従って処理されることができるからである。
【００１０】
ユーザ毎（例えば、ティア２事業者毎又はサービスプロバイダ毎）のネットワークトラフィックの孤立を実施するために、異なるCUGに関連付けられたトラフィックが、異なるようにカプセル化され、異なるルーティング情報を使用して、セルラーシステムを通って経路指定及び転送される。特定の一実施態様では、基地局とネットワークデバイス（例えば、携帯電話管理エンティティ、パケットデータネットワークゲートウェイなどのパケットゲートウェイ（PGW）、サービングゲートウェイ（SGW）など）が、種々の識別子を使用して、種々のCUG（例えば、種々のMVNO）に関連付けられたトラフィックをカプセル化するように構成されている。例示のために、特定の一実施態様において、ネットワークデバイスは、各ユーザに対する種々の仮想ルーティング及び転送（VRF）インスタンスを維持する。それは、各ユーザに対する種々のルーティング情報ベース（RIB）データを維持することを含む。種々のRIBデータのために、第１のユーザに関連付けられたトラフィックは、第２のユーザに関連付けられたトラフィックよりも外部ネットワークを通って異なる経路を横断し得る。
【００１１】
特定の一実施態様では、種々のCUGに関連付けられたトラフィックが、セルラーシステム内の種々のデバイス（又は種々の構成要素）によって処理される。例示のために、基地局は、１以上のモデムを含む多数のモデムプール（例えば、物理的モデムプール、仮想モデムプール、又は論理的モデムプール）を含み、各モデムプールのモデムは、対応するユーザに関連付けられたデータパケットを処理するように構成されている。特定の一実施例として、第１のモデムプールのうちの１以上のモデムは、（データパケット内のVRFインスタンス識別子によって示されているように）第１のユーザに関連付けられたデータパケットを処理し、第２のモデムプールのうちの１以上のモデムは、第２のユーザに関連付けられたデータパケットを処理する。
【００１２】
ユーザによって（例えば、ティア２事業者又はサービスプロバイダによって）ネットワークとセルラーシステムを通るネットワークトラフィックを孤立させることに加えて、セルラーシステムは、種々のCUGが、RFスペクトルの種々の部分（例えば、種々のRFチャネル又はそれらの部分）を介して、セルラーシステムにアクセスすることを可能にし得る。特定の一実施態様では、人工衛星に搭載されたチャネライザーが、基地局に接続されたRF回路からRF信号を受信し、「ビームトゥビーム」スイッチング（例えば、RF信号スイッチング）を実行するように構成されている。それによって、RF回路から受信し且つ第１のサービスプロバイダに関連付けられたトラフィックに対応するRF信号が使用されて、第１のサービスプロバイダに関連付けられたRFスペクトルの第１の部分に対応する第２のRF信号を生成する。同様に、第２のサービスプロバイダに関連付けられたトラフィックに対応する第３のRF信号が使用されて、第２のサービスプロバイダに関連付けられたRFスペクトルの第２の部分に対応する第４のRF信号を生成する。第２のRF信号と第４のRF信号は、それぞれ、第１のサービスプロバイダと第２のサービスプロバイダに関連付けられた（例えば、それらのサービスの受信契約をした）対応するユーザのデバイスに提供される。特定の一実施態様では、RF信号が、同じ場所でオーバーレイパターン（overlay pattern）で展開される。それによって、同じ場所における多数のデバイスが、RFスペクトルの種々の部分を介して（例えば、種々のRFチャネル又はそれらの部分を介して）セルラーシステムにアクセスすることができる。RF信号は、対応するVRFインスタンスに（例えば、対応するCUGに）マッピングされ、本明細書で説明されるように、それに対してVRFインスタンスによって処理が孤立化されるところのデータパケットへ変換される。
【００１３】
種々のCUG（例えば、種々のサービスプロバイダ、政府顧客、又は企業顧客）に関連付けられたネットワークトラフィックを孤立させることによって、本明細書で説明されるシステムは、他のシステムと比較してデータの安全性を高める。例えば、種々のCUGに関連付けられたデータは、種々のVRFインスタンス識別子を使用して、カプセル化され処理され、それによって、特定のユーザに関連付けられたデータを他のCUGに関連付けられたデータから分離する（例えば、孤立させる）。更に、セルラーシステムと受信契約者のデバイスとの間の通信は、種々のRFチャネル（又は他の周波数帯域）を使用して実行され、特定のユーザに関連付けられた通信を他のCUGに関連付けられた通信から更に孤立させる。そのようなネットワークトラフィックの孤立は、種々のCUG（例えば、種々のサービスプロバイダ）に関してセルラーシステムにおけるデータの安全性を高める。更に、セルラーシステムの柔軟性は増加する。何故ならば、特定のユーザに関連付けられたトラフィックは、他のCUGに関連付けられたデータとは異なる規則又はポリシーを使用して処理されることができるからである。
【００１４】
図１は、種々の仮想ルーティング及び転送（VRF）インスタンスに関連付けられたネットワークトラフィックを処理するように構成されたシステム１００の一実施例を示している。システム１００は、チャネライザー１０４及びビーム形成コントローラ１０８を含む人工衛星１０２、RFE１０６、基地局１１８、並びに、ネットワークデバイス１４２、受信契約者のデータサーバ１３６、及びインターネットプロトコル（ＩＰ）マルチメディアサブシステムサーバ１３４を含む、コアネットワーク１３０を含む。構成要素１０２、１０４、１０６、１０８、１１８、１３４、１３６、及び１４２は、システム１００に含まれるように示されているが、他の実施態様では、構成要素１０２、１０４、１０６、１０８、１１８、１３４、１３６、及び１４２のうちの１以上が、含まれない（そして、対応する機能は、残りの構成要素のうちの１以上によって実行される）。他の実施態様では、システム１００が、示されていない更なる構成要素を含む。
【００１５】
人工衛星１０２は、１以上のデバイス（例えば、１以上の受信契約者のデバイス）との通信を実行するように構成されている。１以上のデバイスは、非限定的な実施例として、携帯電話、タブレットコンピュータ、ラップトップコンピュータ、スマート時計、メディアプレイバックデバイス、ナビゲーションシステム、携帯情報端末（ＰＤＡ）、衛星電話などの、携帯デバイス、輸送体（若しくは輸送体の構成要素）、又はそれらの組み合わせを含む。ある実施態様では、１以上のデバイスが、静止コンピュータデバイスも含む。人工衛星１０２は、プロセッサ１８０、メモリ１８２、チャネライザー１０４、ビーム形成コントローラ１０８、及びペイロード１８４を含む。ペイロード１８４は、１以上のデバイスとの通信動作を実行するように構成された１以上のアンテナを含む。特定の実施態様では、システム１００が、人工衛星ベースのセルラーシステムを含み又はそれに相当する。別の特定の一実施態様では、システム１００が、ハイブリッドセルラーシステム（例えば、ハイブリッド人工衛星及び地上セルラーシステム）を含み又はそれに相当する。例えば、人工衛星１０２は、地上ベースのセルラーシステムの、（１以上）のアンテナ、（１以上の）人工衛星、（１以上の）タワーなどの、１以上の構成要素を介して、１以上のデバイスと通信し得る。代替的な一実施態様では、図２を参照しながら更に説明されるように、システム１００が、地上ベースのセルラーシステムを含み又はそれに相当する。
【００１６】
チャネライザー１０４は、周波数スペクトル（例えば、RFスペクトル）を多数のより小さい周波数の「スライス」（例えば、サブバンド、チャネル、サブチャネルなど）に分割するように構成されている。一実施例として、チャネライザー１０４は、入ってくる超広帯域信号を、別の１つのデバイス又は構成要素への送信のために、チャネル又はサブチャネルに分割するように構成されている。RF信号が本明細書で説明されているが、他の実施態様では、他の周波数信号が使用され得る。特定の一実施態様では、チャネライザー１０４が、RF信号を他のフィルタリング装備よりも狭い帯域幅に分割するように構成されている。特定の一実施例として、他のフィルタリング装備は、近似的に３０〜７０メガヘルツ（MHz）の範囲を有する「トランスポンダー」又は「トランスポンダーサイズ」と称されるサイズにRF信号を分割し得る。対照的に、チャネライザー１０４は、RFスペクトル（又は別の１つの周波数スペクトル）を、近似的に３１キロヘルツ（kHz）の帯域又はスライスに分割するように構成されている。周波数帯域又は周波数チャネル（例えば、RFチャネル）の部分として言及されているが、信号は、（例えば、時間分割多重アクセス（TDMA）信号に対して）時間ベースのチャネル若しくはサブチャネルに、又は（例えば、コード分割多重アクセス（CDMA）信号に対して）コードベースのチャネル若しくはサブチャネルにも分割され得る。
【００１７】
ビーム形成コントローラ１０８は、１以上のデバイスに対するビーム形成を可能にするように構成されている。特定の一実施態様では、ビーム形成コントローラ１０８が、１以上のデバイスへの及び１以上のデバイスからのRF信号の指向性及び空間選択性を修正するために、ビーム形成重み付けをRF信号（例えば、「ビーム」）に適用するように構成されている。特定の実施態様では、ビーム形成重み付けが、ビーム形成データ１１０としてメモリ１８２に記憶されている。そして、ビーム形成重み付けの各組は、本明細書で更に説明されるように、対応するユーザに関連付けられる（例えば、ビーム形成重み付けは、ユーザ毎の方式で割り当てられる）。本明細書で使用されるように、「ユーザ」は、システム１００を所有し運営するティア１事業者などの、ティア１事業者のネットワークリソースを使用することによってサービスを提供する、ティア２事業者又は他のサービスプロバイダを含む。CUGは、システム１００を使用して受信契約者にサービスを提供する、仮想移動体通信事業者（MVNO）、仮想通信事業者（VNO）、又は他のサービスプロバイダを含む。受信契約者は、サービスプロバイダ（例えば、CUG）によって提供されるサービスに受信契約し、携帯電話又は他の装備などのデバイスを使用してシステム１００にアクセスする、人々を含む。図１で示されている特定の一実施態様では、チャネライザー１０４とビーム形成コントローラ１０８が、人工衛星１０２内に統合されている。別の特定の一実施態様では、チャネライザー１０４とビーム形成コントローラ１０８が、図２を参照しながら説明されるように、RFE１０６と基地局１１８との間に接続されている。
【００１８】
特定の一実施態様では、チャネライザー１０４が、RFスペクトルの対応する一部分に関連付けられたRF信号の複数の組を生成するように構成されている。例えば、RF信号の各組は、特定のRFチャネル（又は特定の複数のRFチャネル）などの、RFスペクトルの特定の一部分に対応する１以上のRF信号を含む。RF信号の複数の組は、ユニークユーザに関連付けられたRFスペクトルの特定の一部分に関連付けられた少なくとも１つのRF信号を含む。例示のために、複数のRF信号は、第１のユーザ（例えば、第１のMVNO）に関連付けられた通信に対して指定されたRFスペクトルの特定の一部分（例えば、特定のRFチャネル）に対応する第１のRF信号を含む。更に例示のために、複数のRF信号は、第２のユーザ（例えば、第２のMVNO）に関連付けられた通信に対して指定されたRFスペクトルの特定の一部分（例えば、第２の特定のRFチャネル）に対応する第２のRF信号を含む。
【００１９】
特定の一実施態様では、ビーム形成コントローラ１０８が、ビーム形成データに基づいてRF信号のフェーズ、振幅、又はそれらの両者を調整するように構成されている。ビーム形成データは、第１のユーザに関連付けられたビーム形成重み付けの第１の組と第２のユーザに関連付けられたビーム形成重み付けの第２の組を示す。RF信号は、１以上の場所に送信（例えば、展開）されて、本明細書で更に説明されるように、RFスペクトルの種々の部分を介して、２つのサービスプロバイダに関連付けられたデバイスとの無線通信を可能にする。２つの構成要素として示されているが、特定の一実施態様では、チャネライザー１０４とビーム形成コントローラ１０８は、単一の構成要素に統合されるか又は単一の構成要素に相当する。また、チャネライザー１０４とビーム形成コントローラ１０８の動作は、プロセッサ１８０によって実行される。
【００２０】
RFE１０６は、人工衛星１０２を介して１以上のデバイスから受信された又は１以上のデバイスに送られる（例えば、送信される）RF信号を処理するように構成されている。一実施例として、RFE１０６は、人工衛星１０２を介して１以上のユーザ装置（UE）から受信された又は１以上のユーザ装置（UE）に送られるRF信号を処理する、１以上の増幅器、１以上のミキサー、１以上の他の構成要素、又はそれらの組み合わせを含む。
【００２１】
基地局１１８は、プロセッサ１２０とメモリ１２２を含み、基地局１１８は、（例えば、構成要素１０２〜１０８を介して）１以上のデバイスからRF信号を受信し、そのRF信号を処理するように構成されている。特定の一実施態様では、プロセッサ１２０が、本明細書で説明される動作を実行するために、メモリ１２２に記憶された指示命令を実行するように構成されている。代替的な一実施態様では、基地局１１８が、本明細書で説明される動作を実行する、特定用途向け集積回路（ASIC）、フィールドプログラマブルゲートアレイ（FPGA）、又はコントローラなどの、ハードウェアを含む。
【００２２】
例示のために、基地局１１８は、RF信号をデジタルドメインに変換して、コアネットワーク１３０を通るルーティングのためのデータパケットを生成するように構成されている。データパケットを生成するために、基地局１１８は、多数のモデムを含む多数のモデムプールを含む。特定の一実施態様では、各モデムプールが、特定のユーザ（例えば、特定のMVNO）に割り当てられ、特定のモデムプールからの１以上のモデムが、対応するユーザに関連付けられたデータパケットを処理するために割り当てられる。個別のモデムとして説明されているが、ある実施態様では、基地局１１８が、本明細書で説明されるモデムの動作を実行する仮想モデムプール及び仮想モデムを提供するために仮想化された単一のモデムを含む。他の実施態様では、モデムが、物理的モデム、論理的モデム、仮想モデム、又はそれらの組み合わせであり得る。
【００２３】
図１で示されている実施態様では、基地局１１８が、第１のモデム１２４、第２のモデム１２６、及び第Ｎのモデム１２８を含む。３つのモデムが示されているが、他の実施態様では、Ｎが、２よりも大きい任意の整数であり得る。各モデムは、モデムプールの部分である。一実施例として、第１のモデムプール１２５が第１のモデム１２４を含み、第２のモデムプール１２７が第２のモデム１２６を含み、第Ｎのモデムプール１２９が第Ｎのモデム１２８を含む。モデムプール毎に１つのモデムが示されているが、そのような例示は非限定的である。モデムプールは、任意の数のモデムを含み得る。特定の一実施態様では、第１のモデムプール１２５のモデムは、第１のユーザ（例えば、第１のMVNO）に関連付けられたトラフィックに動作を実行するように割り当てられ、第２のモデムプール１２７のモデムは、第２のユーザ（例えば、第２のMVNO）に関連付けられたトラフィックに動作を実行するように割り当てられる。
【００２４】
特定の一実施態様では、モデムが、種々のCUGに関連付けられたデバイスからのRF信号に基づいて、データパケットを生成するように構成されている。データパケットは、各データパケットを特定のユーザに関連付ける識別子を含む。例えば、データパケットは、仮想ルーティング及び転送（VRF）インスタンス識別子を含む。VRFインスタンスは、本明細書で更に説明されるように、ユーザ（例えば、ティア２事業者又は他のサービスプロバイダ）に対応し、ネットワークデバイス１４２においてルーティングを実行するために使用される。特定の一実施態様では、RF信号が、メモリ１２２に記憶された構成データ１２３に基づいた処理のためにモデムに割り当てられる。特定の一実施態様では、構成データ１２３が、デバイス識別子（又はセッション識別子、ベアラ識別子などの、何らかの他の識別子）とVRF識別子との間の関連を示す。例示のために、構成データ１２３は、特定のデバイス識別子（例えば、メディアアクセス制御（MAC）アドレス、インターネットプロトコル（IP）アドレスなど）が、（デバイス識別子によって特定されたデバイスに関連付けられた特定のユーザに対応する）VRFインスタンスに関連付けられていることを示す。VRFインスタンス識別子を含むデータパケットは、基地局１１８からネットワークデバイス１４２へ送られる。
【００２５】
ネットワークデバイス１４２は、プロセッサ１４４とメモリ１４６を含み、ネットワークデバイス１４２は、１以上のデバイスとネットワーク１５６（例えば、別の１つのティア１プロバイダによって維持されているネットワークなどの外部ネットワーク、インターネットなど）との間のトラフィックを経路指定するように構成されている。特定の一実施態様では、プロセッサ１４４が、本明細書で説明される動作を実行するために、メモリ１４６に記憶された指示命令を実行するように構成されている。代替的な一実施態様では、ネットワークデバイス１４２が、本明細書で説明される動作を実行する、ASIC、FPGA、又はコントローラなどの、ハードウェアを含む。ネットワークデバイス１４２は、シグナリングゲートウェイ、パケットゲートウェイ、モビリティマネジメントエンティティ（MME）、又はそれらの組み合わせを含み又はそれらに相当し得る。特定の一実施態様では、ネットワークデバイス１４２が、シグナリングゲートウェイ、パケットゲートウェイ、及びMMEの機能を実行する、単一のデバイスである。代替的に、２以上の通信可能に接続されたデバイスが、ネットワークデバイス１４２の動作を実行し得る。
【００２６】
特定の一実施態様では、本明細書で更に説明されるように、ネットワークデバイス１４２が、基地局１１８のモデムからデータパケットを受信し、コアネットワーク１３０（例えば、受信契約者のデータサーバ１３６とIPマルチメディアサブシステムサーバ１３４）を通してネットワーク１５６の他のデバイスに送られるパケットを生成するように構成されている。受信契約者のデータサーバ１３６（例えば、顧客チャージング及びビリングサブシステム（CCBS））は、ビリング及びプロビジョニングのためのネットワークの使用をモニタするように構成されている。特定の一実施態様では、受信契約者のデータサーバ１３６が、ユーザ毎の方式で、サービスを提供し、ネットワーク使用を追跡し、ビリングを実行するように構成されている。非限定的な一実施例として、受信契約者に対するサービス及び使用に関する情報は、各MVNO又は他のサービスプロバイダのために維持され記憶される。IPマルチメディアサブシステムは、ボイスセッションを開始し維持すること、データセッションを開始し維持すること、電話の呼び出しを開始すること、並びに１以上のデバイスにおいて電話、データ、及び他のサービスを有効にする他のそのような活動などの、動作を実行するように構成されている。ある実施態様では、コアネットワーク１３０が、ネットワーク１５６などの外部ネットワークにシステム１００の安全な論理的孤立を提供するように構成された、１以上の安全性又はサイバーセキュリティシステムも含む。
【００２７】
動作中に、システム１００は、第１のユーザ１６０（例えば、第１のMVNO）、第２のユーザ１６４（例えば、第２のMVNO）、及び第Ｎのユーザ１６８（例えば、第ＮのMVNO）などの、多数のCUG（例えば、ティア２事業者又はサービスプロバイダ）が、システム１００を介して受信契約者にネットワークサービスを提供することを可能にする。３つのサービスプロバイダが示されているが、他の実施態様では、Ｎが、２よりも大きい任意の整数であり得る。多数のサービスプロバイダ（例えば、CUG）をサポートするために、ビームマップ及びビーム形成重み付けが、ビーム形成データ１１０として生成され記憶され得る。特定の一実施態様では、ビームマップが、多数のセル（例えば、地球セル）に向けられたビームのための周波数再使用パターンを特定し、それによって、特定の周波数帯域（例えば、チャネル、サブチャネルなど）が、種々の隣接しないセルで再使用され得る。別の特定の一実施態様では、ビーム形成データ１１０が、チャネライザー１０４によって生成された各ビームに対する初期容量及びキャリア構成を特定するキャリアマップを示す。別の特定の一実施態様では、各ユーザが、対応するセルサイズ、ビーム重み付け、パターン、容量、及びキャリア割り当てに関連付けられ、ビーム形成データ１１０は、多数のCUGに関連付けられた多数の組のビーム形成重み付け（及びセルサイズ、パターン、容量、キャリア割り当てなどの他の情報）を示す。ある実施態様では、ビーム形成データ１１０（又はそれらの部分）が、変化する受信契約者の密度、変化するトラフィック負荷パターン、又はユーザ（例えば、MVNO）のポリシーに基づくなどして、時を経る間に調整される。
【００２８】
特定の一実施態様では、人工衛星１０２が、複数のRF信号（例えば、ビーム）を１以上のパターンで１以上の領域内に送信する。RF信号の各パターンは、ユーザ（例えば、MVNO）に対応し、MVNO（又は他のサービスプロバイダ）に関連付けられたデバイスとシステム１００との間の無線通信を可能にする。例示のために、チャネライザー１０４は、ユニークユーザ（例えば、第１のユーザ１６０）が、周波数スペクトルの特定の一部分に関連付けられていることを示すデータを（例えば、１以上の関連する動作の実行の後で、ネットワークデバイス１４２から）受信し、チャネライザー１０４は、特定の一部分に関連付けられた少なくとも１つのビームを生成する。特定の一実施態様では、ビーム形成コントローラ１０８が、ビーム形成データ１１０に基づいて複数のRF信号を調整し、各RF信号が、対応するユーザに関連付けられた周波数スペクトルの一部分を介して送信される。特定の一実施態様では、人工衛星１０２が、各ユニークユーザ（例えば、各MVNO）と、メモリ１８２に記憶されたチャネルマッピングデータ１８６などの周波数スペクトルの対応する一部分と、の間の関連を示すデータを記憶する。
【００２９】
人工衛星１０２は、複数のRF信号を１以上のパターンで１以上の領域に送信（例えば、展開）し得る。特定の一実施態様では、人工衛星１０２が、１以上のRF信号を、第１のパターン１６２、第２のパターン１６６、及び第Ｎのパターン１７０で展開する。パターン１６２、１６６、及び１７０の各々は、異なるユーザに関連付けられている。特定の一実施態様では、第１のパターン１６２が第１のユーザ１６０に関連付けられ、第２のパターン１６６が第２のユーザ１６４に関連付けられ、第Ｎのパターン１７０が第Ｎのユーザ１６８に関連付けられる。パターン１６２、１６６、及び１７０のうちの１以上は、同じ領域内でオーバーレイ（overlay）され得る。例示のために、パターン１６２、１６６、及び１７０は、種々のCUG（例えば、MVNOなどのサービスプロバイダ）に関連付けられた種々のRFチャネル（又は他の周波数帯域）を介して、特定の領域内の受信契約者に無線通信サービス提供するために、特定の領域内でオーバーレイされる。代替的に、パターン１６２、１６６、及び１７０のうちの１以上は、種々の領域内で展開され得る。例示のために、受信契約者は、第１の領域において第１のRFチャネルを介してシステム１００にアクセスし、第２の受信契約者は、第２の領域において第２のRFチャネルを介してシステム１００にアクセスする。
【００３０】
特定の一実施例は、システム１００の動作を示すために提供される。この実施例では、第１のパターン１６２、第２のパターン１６６、及び第Ｎのパターン１７０が、第１の領域内で互いの上にオーバーレイされる。第１の領域に入る第１のデバイス１７２（例えば、第１の受信契約者のデバイス）は、利用可能な事業者の周波数に同期し、システム１００を介してサービスを提供する利用可能なサービスプロバイダ（例えば、CUG）を示す、マスター情報ブロックデータとシステム情報ブロックデータなどのデータを受信する。第１のデバイス１７２が、第１のユーザ１６０に関連付けられているならば（例えば、第１のデバイス１７２に関連付けられた受信契約者が、第１のユーザによって提供されるサービスに受信契約するならば）、第１のデバイス１７２は、１以上の関連付け動作を実行し、第１のユーザ１６０に関連付けられている周波数スペクトルの一部分を介して、サポートされた無線通信を実行する。同じ場所では、第２のユーザ１６４に関連付けられた第２のデバイス１７４（例えば、第２の受信契約者のデバイス）が、１以上の関連付け動作を実行し、第２のユーザ１６４に関連付けられた周波数スペクトルの一部分を介して、サポートされた無線通信を実行する。
【００３１】
このやり方では、第１のユーザ１６０に関連付けられた周波数スペクトルの一部分は、第１の場所に配置され第１のユーザ１６０に関連付けられた（例えば、第１のユーザ１６０によって提供されるサービスに受信契約した）デバイス（例えば、受信契約者のデバイス）によってアクセス可能である。周波数スペクトルの一部分は、第１のユーザ１６０に関連付けられていない、第１の場所に配置されたデバイス（例えば、受信契約者のデバイス）によってアクセス不能である。しかし、デバイスは、他のCUGに関連付けられ、同じ場所において周波数スペクトルの種々の部分にアクセスし得る。したがって、種々のCUG（例えば、種々のMVNO）に関連付けられた種々のデバイスは、同じ場所において種々の周波数を使用してシステム１００にアクセスし得る。
【００３２】
別の特定の一実施態様では、RF信号の特定のパターンが、第１のユーザ１６０に関連付けられた（１以上の）RFチャネルに対応するRF信号の第１の組、第２のユーザ１６４に関連付けられた（１以上の）RFチャネルに対応するRF信号の第２の組、及び第Ｎのユーザ１６８に関連付けられた（１以上の）RFチャネルに対応するRF信号の第３の組を含む。特定のパターンは、多数の種々の場所において展開される。特定の一実施例として、特定のパターンは、シカゴ、ワシントンD.C.、及びニューヨークにおいて展開される。受信契約者は、周波数再使用設計の部分として、各場所で同じである対応するRFチャネルを使用して、各ユーザ（例えば、MVNO）に関連付けられた通信サービスにアクセスすることができる。例示のために、３つの都市の各々に居る受信契約者は、第１のRFチャネルを介して第１のユーザ１６０によって提供されるサービス、第２のRFチャネルを介して第２のユーザ１６４によって提供されるサービス、及び第３のRFチャネルを介して第Ｎのユーザ１６８によって提供されるサービスにアクセスすることができる。代替的に、種々のパターンは、種々の場所に展開され得る。特定の一実施例として、第１のユーザ１６０に関連付けられたRFチャネルと第２のユーザ１６４に関連付けられた第２のRFチャネルを含む第１のパターンがシカゴで展開され、第１のユーザ１６０に関連付けられた第３のRFチャネルと第Ｎのユーザ１６８に関連付けられた第４のRFチャネルを含む第２のパターンがニューヨークで展開される。第１のユーザ１６０に関連付けられた受信契約者は、シカゴにおいて第１のRFチャネルを介して、ニューヨークにおいて第３のRFチャネルを介してサービスにアクセスし、第２のユーザ１６４に関連付けられた受信契約者は、シカゴにおいて第２のRFチャネルを介してサービスにアクセスし（ニューヨークにおいてサービスにアクセスせず）、第Ｎのユーザ１６８に関連付けられた受信契約者は、ニューヨークにおいて第４のRFチャネルを介してサービスにアクセスする（シカゴにおいてサービスにアクセスしない）。
【００３３】
１以上の関連付け動作を実行することは、無線リンクアタッチメント動作、ネットワーク登録動作、IPマルチメディアサブシステム（IMS）動作、他の関連付け動作、又はそれらの組み合わせを実行することを含み得る。特定の一実施態様では、１以上の関連付け動作が、基地局１１８、ネットワークデバイス１４２、他のデバイス、又はそれらの組み合わせによって実行される。この実施態様では、基地局１１８とネットワークデバイス１４２が、それぞれ、デバイスをCUG（例えば、MVNO）に関連付け且つ１以上の関連付け動作の実行中に更新される、データをメモリ１２２、１４６に記憶する。１以上の関連付け動作に関する更なる詳細は、図２を参照しながら説明される。
【００３４】
一旦、デバイスが選択されたネットワークに関連付けられると、デバイスは、周波数スペクトルの対応する一部分を介して、RF信号をシステム１００に送り得る（又はシステム１００からRF信号を受信し得る）。特定の一実施態様では、第１のデバイス１７２が、第１のユーザ１６０に対応する周波数スペクトルの第１の部分（例えば、第１のRFチャネル）を介して第１のRF信号を送り、第２のデバイス１７４が、第２のユーザ１６４に対応する周波数スペクトルの第２の部分（例えば、第２のRFチャネル）を介して第２のRF信号を送る。RF信号は、人工衛星１０２によって受信され、処理のためにRFE１０６に提供される。特定の一実施態様では、RFE１０６は、第１のRF信号と第２のRF信号に１以上の処理動作（例えば、増幅、ノイズ低減など）を実行するように構成されている。
【００３５】
本明細書で更に説明されるように、基地局１１８は、第１のRF信号と第２のRF信号を受信し、特定のモデムを指定して、RF信号（及び結果としてのデータパケット）又は入ってくるデータパケットを処理する。特定の一実施態様では、第１のモデム１２４が、第１のRF信号に基づいて第１のデータパケットを生成するように構成され、第２のモデム１２６が、第２のRF信号に基づいて第２のデータパケットを生成するように構成されている。RF信号（又はデータパケット）を処理するための特定のモデムプールの特定のモデムの指定は、RF信号（又はデータパケット）と構成データ１２３に関連付けられたユーザに基づく。特定の一実施例として、構成データ１２３は、（例えば、第１のデバイス１７２に関連付けられたデバイスIDのインジケータに基づいて）第１のデバイス１７２が、第１のVRFインスタンス識別子に対応する第１のユーザ１６０に関連付けられていることを示し、第２のデバイス１７４が、第２のVRFインスタンス識別子に対応する第２のユーザ１６４に関連付けられていることを示す。構成データ１２３とデバイスIDのインジケータとに基づいて、基地局１１８（例えば、プロセッサ１２０）は、第１のモデム１２４を指定して、第１のRF信号（例えば、第１のユーザ１６０に関連付けられたRF信号又はデータパケット）を処理し、第２のモデム１２６を指定して、第２のRF信号（例えば、第２のユーザ１６４に関連付けられたRF信号又はデータパケット）を処理するように構成されている。特定の一実施態様では、インジケータが、デバイスに関連付けられた電話番号、MSISDN（例えば、受信契約識別子）、又は任意の他の種類のデバイス身元（identity）のインジケータを含む。
【００３６】
特定の一実施態様では、基地局１１８の複数のモデムの各モデムは、対応するVRFインスタンス識別子に関連付けられたトラフィック（例えば、RF信号、データパケットなど）を処理するように構成されている。例示のために、第１のモデムプール１２５の第１のモデム１２４と他のモデムは、第１のユーザ１６０に関連付けられた第１のVRFインスタンスに対応する第１のVRFインスタンス識別子に関連付けられたRF信号とデータパケットを処理するように構成されている。特定の一実施態様では、第１のモデム１２４が、第２のユーザ１６４に関連付けられたVRFインスタンスに対応する第２のVRFインスタンス識別子などの、他のVRFインスタンス識別子に関連付けられたRF信号とデータパケットを処理することを控えるように更に構成されている。同様に、第２のモデムプール１２７の第２のモデム１２６と他のモデムは、第２のVRFインスタンス識別子に関連付けられたデータパケットを処理し、第１のVRFインスタンス識別子に関連付けられたRF信号とデータパケットを処理することを控えるように構成されている。
【００３７】
モデム１２４〜１２８におけるRF信号の処理は、データ及び対応するVRFインスタンス識別子を含むデータパケットを生成することを含む。例示のために、第１のデバイス１７２が第１のユーザ１６０に関連付けられているとの判定に基づいて、基地局１１８は、第１のモデム１２４を指定して、第１のRF信号に基づいて第１のデータパケットを生成する。第２のデバイス１７４が第２のユーザ１６４に関連付けられているとの判定に基づいて、基地局１１８は、第２のモデム１２６を指定して、第２のRF信号に基づいて第２のデータパケットを生成する。第１のデータパケットは、第１のデータと第１のVRFインスタンス識別子を含み、第２のデータパケットは、第２のデータと第２のVRFインスタンス識別子を含む。
【００３８】
特定の一実施態様では、モデム１２４〜１２８が、VRF毎の（又はユーザ毎の）方式で、データパケットを暗号化するように構成されている。例示のために、第１のモデム１２４は、第１のVRFインスタンスに関連付けられた第１の暗号化に基づいて第１のデータパケットを暗号化するように更に構成され、第２のモデム１２６は、第２のVRFインスタンスに関連付けられた第２の暗号化に基づいて第２のデータパケットを暗号化するように構成されている。特定の一実施態様では、第１の暗号化と第２の暗号化は、同じ種類の暗号化であるが、対応する暗号化を実行するために異なるキー又は他の値が使用される。代替的な一実施態様では、第１の暗号化と第２の暗号化が、異なる種類の暗号化を使用して実行される。別の１つのユーザ（例えば、別の１つのMVNO）に関連付けられたデータを暗号化することとは異なるように、１つのユーザ（例えば、１つのMVNO）に関連付けられたデータを暗号化することは、異なるCUGに対応するデータの安全性及び分離を高め得る。例示のために、異なるユーザに関連付けられたデバイスに誤って提供された暗号化されたデータは、デバイスによって受信された他のデータと同じ暗号化を使用して復号されない。
【００３９】
第１のデータパケットと第２のデータパケットは、ネットワークデバイス１４２に送られる。特定の一実施態様では、（第１のデータパケットと第２のデータパケットを含む）データパケットが、電気電子技術者協会（IEEE）802.11Qに準拠したコネクタ又はトランクを介して送られる。特定の一実施態様では、コネクタが、１０ギガバイト（gB）のファイバー管を含む。特定の一実施態様では、基地局１１８が、モデム１２４〜１２８を介して、１以上のネットワーク品質基準に基づいて、モジュレーション及びコーディング（MOCOD）、タイムスロット割り当て、並びにデータパケットのためのキュー（例えば、進化したパケットシステム（EPS）ベアラ）を管理する。データパケットに関する更なる詳細は、図２を参照しながら説明される。
【００４０】
ネットワークデバイス１４２は、データパケットを受信し、コアネットワーク１３０及びネットワーク１５６を通る１以上の他のデバイスへの送信のためにパケットを生成する。例えば、ネットワークデバイス１４２は、第１のデータパケットを受信し、ネットワーク１５６を介して第１のパケットを第１のデバイスへ送信するように構成されている。ネットワークデバイス１４２は、第２のデータパケットを受信し、ネットワーク１５６を介して第２のパケットを第２のデバイスへ送信するように更に構成されている。特定の一実施態様では、第１のデバイスと第２のデバイスが同じデバイスである。代替的な一実施態様では、第１のデバイスと第２のデバイスが異なるデバイスである。第１のパケットは、第１のデータ、及び第１のVRFインスタンスに関連付けられた第１のインジケータを含む第１のヘッダーを含み、第２のパケットは、第２のデータ、及び第２のVRFインスタンスに関連付けられた第２のインジケータを含む第２のヘッダーを含む。
【００４１】
特定の一実施態様では、多数のVRFインスタンスが、ネットワークデバイス１４２において維持される。多数のVRFインスタンスを維持することは、ネットワークデバイス１４２においてパケットを経路指定するために使用される多数のルーティング情報ベース（RIB）（例えば、ルーティング及び転送データ）を維持することを含む。特定の一実施例として、ネットワークデバイス１４２は、第１のVRFインスタンスRIBデータ１５０、第２のVRFインスタンスRIBデータ１５２、及び第ＮのVRFインスタンスRIBデータ１５４をメモリ１４６に記憶する。RIBデータの３つのインスタンスが図１で示されているが、他の実施態様では、Ｎが２よりも大きい任意の整数である。VRFインスタンスRIBデータ１５０〜１５４は、ルーティング情報、転送情報、又はそれらの組み合わせを含み又は示す。
【００４２】
特定の一実施態様では、VRFインスタンスRIBデータ１５０〜１５４の各々がユーザに関連付けられている。一実施例として、第１のVRFインスタンスRIBデータ１５０は、第１のユーザ１６０に関連付けられ、第２のVRFインスタンスRIBデータ１５２は、第２のユーザ１６４に関連付けられ、第ＮのVRFインスタンスRIBデータ１５４は、第Ｎのユーザ１６８に関連付けられている。VRFインスタンスRIBデータ１５０〜１５４は、種々のルーティング経路が、種々のCUGに関連付けられたトラフィックのために確立されることを可能にする。例えば、第１のデバイス１７２からネットワーク１５６の第１のデバイスへのルーティング経路は、第２のデバイス１７４からネットワーク１５６の第２のデバイスへのルーティング経路とは異なる、システム１００、コアネットワーク１３０、及びネットワーク１５６を通るデバイス又はデバイスの部分（例えば、基地局１１８の種々のモデム）を横断し得る。代替的に、第１のデバイス１７２からネットワークの第１のデバイスへのルーティング経路は、第２のデバイス１７４からネットワークの第２のデバイスへのルーティング経路と同じであり得る。
【００４３】
種々のVRFインスタンスに対して種々のRIBを維持することによって、及び、種々のVRFインスタンスに対して基地局１１８の種々のリソース（例えば、モデム）を指定することによって、ユーザ毎の方式のトラフィックの論理的な孤立が提供される。例示のために、第１のデバイス１７２（例えば、第１のユーザ１６０に関連付けられた受信契約者のデバイス）への及びからのトラフィックは、第２のデバイス１７４（例えば、第２のユーザ１６４に関連付けられた受信契約者のデバイス）への及びからのトラフィックとは異なるタイムスロットにおいて、又は異なるモジュレーション及びコーディングを用いて、システム１００を横断する。更に、コアネットワーク１３０とネットワーク１５６を通る経路は、第２のデバイス１７４への及びからのトラフィックと、第１のデバイス１７２への及びからのトラフィックとでは異なり得る。それは、第１のVRFインスタンスRIBデータ１５０と第２のVRFインスタンスRIBデータ１５２との間の差異によるものである。ユーザ毎の方式（例えば、サービスプロバイダ毎又はMVNO毎の方式）でのトラフィックを論理的に孤立させることによって、ユーザのトラフィックの安全性が、異なるCUGに対して異なるVRFインスタンスを維持しないシステムと比較して高められる。
【００４４】
特定の一実施態様では、ネットワークデバイス１４２が、コアネットワーク１３０とネットワーク１５６を通るルーティングパケットにおける使用のために、組み合わされたRIBデータ１４８をメモリ１４６に記憶する。組み合わされたRIBデータ１４８は、VRFインスタンスRIBデータ１５０〜１５４、及びネットワーク１４２によって生成される任意の更なるルーティング情報（例えば、VRFインスタンスのうちの１つに対応しないパケットに関連付けられたルーティング）に基づく。データパケットが、ネットワークデバイス１４２において受信されたときに、対応するVRFインスタンスRIBデータが更新される。例示のために、ネットワークデバイス１４２は、第１のデータパケットに基づいて第１のVRFインスタンスRIBデータ１５０を更新し、ネットワークデバイス１４２は、第２のデータパケットに基づいて第２のVRFインスタンスRIBデータ１５２を更新する。
【００４５】
特定の一実施態様では、ネットワークデバイス１４２が、受信されたデータパケットと組み合わされたRIBデータ１４８とに基づいて、（対応するVRFインスタンスのインジケータを含むヘッダーを含む）パケットを生成する。一実施例として、ネットワークデバイス１４２は、第１のデータ、及び第１のVRFインスタンスに関連付けられた第１のインジケータを含む第１のヘッダーを含む、第１のパケットを生成し、ネットワークデバイス１４２は、第２のデータ、及び第２のVRFインスタンスに関連付けられた第２のインジケータを含む第２のヘッダーを含む、第２のパケットを生成する。第１のインジケータと第２のインジケータは、非限定的な例として、ソースIPアドレス又はソースポートアドレスなどの識別子を含み又はそれらに相当する。特定の一実施態様では、インジケータが、ラベル又は「５タプル」（例えば、ソースアドレス、ソースポート、指定アドレス、宛先ポート、及びパケットに関連付けられたプロトコルを含むタプル）に相当する。第２のVRFインスタンスに関連付けられた第２のデータとは異なるヘッダーを使用して第１のVRFインスタンスに関連付けられた第１のデータをカプセル化することは、コアネットワーク１３０とネットワーク１５６のデバイスによる処理中に第２のデータから第１のデータを論理的に孤立させる。
【００４６】
ネットワークデバイス１４２による送信の後で、パケットは、経路上のコアネットワーク１３０とネットワーク１５６を横断し、最終的な宛先の（１以上の）デバイスに至る。ある実施態様では、コアネットワーク１３０の少なくとも一部の構成要素が、VRF毎の方式でパケットを処理する。特定の一実施態様では、受信契約者のデータサーバ１３６が、第１のパケットに基づいて第１の受信契約者のデータ１３８を生成（又は更新）し、第２のパケットに基づいて第２の受信契約者のデータ１４０を生成（又は更新）する。第１の受信契約者のデータ１３８は、第１のユーザ１６０の受信契約者に関連付けられた、プロビジョニング情報、ビリング情報、使用情報、又はそれらの組み合わせを示し、第２の受信契約者のデータ１４０は、第２のユーザ１６４の受信契約者に関連付けられた、プロビジョニング情報、ビリング情報、使用情報、又はそれらの組み合わせを示す。特定の一実施態様では、コアネットワーク１３０の他の構成要素が、VRF毎の方式でトラフィックを処理する。一実施例として、IPマルチメディアサブシステムサーバ１３４は、第１のユーザ１６０に対応するポリシー又は規則に基づいて第１のパケットに１以上の動作を実行し、IPマルチメディアサブシステムサーバ１３４は、第２のユーザ１６４に対応するポリシー又は規則に基づいて第２のパケットに１以上の動作を実行する。別の特定の一実施態様では、（「非武装地帯」（DMZ）とも称される）１以上の安全性又はサイバーセキュリティーデバイス若しくはシステムが、対応するVRFインスタンスに関連付けられた規則又はポリシーに基づいてトラフィックを処理する。VRFインスタンスベースの規則及びポリシーは、特定のユーザ（例えば、サービスプロバイダ又はティア２事業者）に関連付けられたトラフィックが、他のCUGに関連付けられたトラフィックとは異なって、コアネットワーク１３０のデバイスによって処理されることを可能にする。
【００４７】
ネットワーク１５６のデバイスから受信契約者のデバイスへ送られたパケットは、同様なやり方で処理される。パケットは、宛先の受信契約者のデバイスに到達するまで、VRFインスタンス毎の又はユーザ毎の方式でコアネットワーク１３０とシステム１００の残りを横断する。一実施例として、ネットワークデバイス１４２は、ネットワーク１５６を介して第１のデバイスから第３のパケットを受信し、ネットワーク１５６を介して第２のデバイスから第４のパケットを受信するように構成されている。第３のパケットは、第３のデータ、及び第１のVRFインスタンスに関連付けられたインジケータを含む第３のヘッダーを含み、第４のパケットは、第４のデータ、及び第２のVRFインスタンスに関連付けられた第４のインジケータを含む第４のヘッダーを含む。特定の一実施態様では、第３のパケットと第４のパケットが、ネットワークデバイス１４２への到着に先立って受信契約者のデータサーバ１３６に経路指定され、受信契約者のデータサーバ１３６は、上述のように、第３のパケットと第４のパケットに基づいて対応する受信契約者のデータを更新する。
【００４８】
特定の一実施態様では、任意の新しいルーティング情報が第３のパケット又は第４のパケットに関連付けられているならば、ネットワークデバイス１４２が、第３のパケットと第４のパケットに基づいて、組み合わされたRIBデータ１４８を更新する。例示のために、ネットワークデバイス１４２は、第１のVRFインスタンスに関連付けられている第３のインジケータに基づいて第１のVRFインスタンスRIBデータ１５０を更新し、ネットワークデバイス１４２は、第２のVRFインスタンスに関連付けられている第４のインジケータに基づいて第２のVRFインスタンスRIBデータ１５２を更新する。ネットワークデバイス１４２は、データパケットも生成し、そのデータパケットを、受信されたパケットに基づいて基地局１１８の特定のモデムに送信し得る。一実施例として、ネットワークデバイス１４２は、第３のデータと第１のVRFインスタンス識別子とを含む第３のデータパケットを生成し、ネットワークデバイス１４２は、第４のデータと第２のVRF識別子とを含む第４のデータパケットを生成する。
【００４９】
第３のパケットと第４のパケットを生成した後で、ネットワークデバイス１４２は、（例えば、第１のVRFインスタンスに関連付けられている第３のインジケータに基づいて）第３のデータパケットを第１のモデム１２４に送り、ネットワークデバイス１４２は、（例えば、第２のVRFインスタンスに関連付けられている第４のインジケータに基づいて）第４のデータパケットを第２のモデム１２６に送る。基地局１１８は、対応する受信契約者のデバイスへの送信のために、それぞれ、第３のデータパケットと第４のデータパケットを第３のRF信号と第４のRF信号に変換する。特定の一実施態様では、デバイスへ送信されるのに先立って、RF信号が、構成要素１０２〜１０８によって処理される。例示のために、RFE１０６は、フィルタリング、増幅などを実行することによって、第３のRF信号と第４のRF信号を処理するように構成されている。
【００５０】
基地局１１８は、種々のRF信号が、種々のVRFインスタンス、したがって、種々のCUG（例えば、種々のサービスプロバイダ）に関連付けられていることを、RFE１０６と人工衛星１０２に示す。特定の実施態様では、基地局１１８が、種々のVRFインスタンスに対応するRF信号を、種々の論理インターフェースに関連付ける。例えば、基地局１１８は、第１のVRFインスタンス（及び第２のMVNO）に対応する第１のRF信号を、基地局１１８とRFE１０６との間（又は基地局１１８と人工衛星１０２との間）の第１の論理インターフェースに関連付け、基地局１１８は、第２のVRFインスタンス（及び第２のMVNO）に対応する第２のRF信号を関連付ける。代替的な一実施態様では、基地局１１８が、種々のVRFインスタンスに対応するRF信号を、RFE１０６の種々のポート（例えば、物理的ポート、論理的ポート、仮想化されたポートなど）に送る。特定の一実施例として、第１のモデム１２４は、第１のVRFインスタンス（及び第１のMVNO）に関連付けられた第１のRF信号を第１のポートに送り、第２のモデム１２６は、第２VRFインスタンス（及び第２のMVNO）に関連付けられた第２のRF信号を第２のポートに送る。
【００５１】
特定の一実施態様では、種々の論理的インターフェースに関連付けられた（又は種々のポートに送られる）RF信号が、RFスペクトルの種々の部分（例えば、種々のRFチャネル）を介して人工衛星１０２に送信され得る。特定の一実施例として、第１の論理的インターフェースに関連付けられた（及びしたがって第１のVRFと第１のユーザ１６０に関連付けられた）RF信号は、第１のRFチャネルを介して送信され、第２の論理的インターフェースに関連付けられた（及びしたがって第２のVRFと第２のユーザ１６４に関連付けられた）RF信号は、異なるRFチャネルを介して送信される。このやり方では、人工衛星１０２が、（ティア２事業者又はサービスプロバイダに対応する）RF信号とVRFインスタンスとの間の関連の表示を受信する。
【００５２】
特定の一実施態様では、人工衛星１０２が、RFE１０６からRF信号を受信し、ビームトゥビームスイッチングを実行して、チャネルマッピングデータ１８６に基づいて１以上のデバイスに送信されるべきRF信号を生成するように構成されている。特定の一実施例として、プロセッサ１８０（又はチャネライザー１０４）は、チャネルマッピングデータ１８６に基づいて、且つ、第１のデバイス１７２に関連付けられた第１のサービスプロバイダ（例えば、第１のユーザ１６０）に基づいて、ペイロード１８４の１以上のアンテナから第１のデバイス１７２への第２のRF信号の送信を開始するように構成されている。第２のRF信号は、RFE１０６からペイロード１８４の１以上のアンテナで受信された（且つ第１のVRFインスタンスに関連付けられた）第１のRF信号に基づく。第１のRF信号と第２のRF信号は、異なるRFチャネルに対応し得る。例えば、第１のRF信号は、第１のRFチャネルに対応し、第２のRF信号は、第１のRFチャネルとは異なる第２のRFチャネルに対応する。
【００５３】
特定の一実施態様では、チャネルマッピングデータ１８６が、１以上のデバイス又はRFE１０６と通信するためのRFチャネル（又は周波数スペクトルの他の部分）のサービスプロバイダ（例えば、CUG）へのマッピングを示す。特定の一実施例として、チャネルマッピングデータ１８６は、第１のユーザ１６０が、人工衛星１０２とRFE１０６との間の通信のために少なくとも第１のRFチャネルにマッピングし、人工衛星１０２と第１のデバイス１７２との間の通信のために少なくとも第２のRFチャネルにマッピングすることを示す。チャネルマッピングデータ１８６は、サービスプロバイダ（例えば、MVNO）が容量を購入しシステム１００にアクセスするときに、人工衛星制御システムの事業者によって生成（又は更新）され得る。例えば、第１のユーザ１６０が容量を購入しシステム１００にアクセスするときに、人工衛星制御システムは、第１のユーザ１６０が、人工衛星１０２とRFE１０６との間の通信のために第１のRFチャネルに関連付けられ、受信契約者のデバイスと人工衛星１０２との間の通信のために第２のRFチャネルに関連付けられていることを示すデータを、人工衛星１０２に送信する。ある実施態様では、チャネルマッピングデータ１８６が、各ユーザに関連付けられたRFチャネルの群を示し、RFチャネルの各群の少なくとも一部が、種々の場所に関連付けられている。更なるCUG（例えば、MVNO）が容量を購入しシステム１００にアクセスすると、更なるCUGのRFチャネルへのマッピングを示すデータが、チャネルマッピングデータ１８６を更新するために人工衛星１０２に送られ得る。
【００５４】
特定の一実施態様では、プロセッサ１８０が、チャネルマッピングデータ１８６に基づいて、且つ、第２のデバイス１７４に関連付けられた第２のサービスプロバイダ（例えば、第２のユーザ１６４）に基づいて、ペイロード１８４の１以上のアンテナから第２のデバイス１７４への第４のRF信号の送信を開始するように構成されている。この実施例では、第４のRF信号が、RFE１０６からペイロード１８４の１以上のアンテナで受信された第３のRF信号に基づく。第３のRF信号及び第４のRF信号は、異なるRFチャネルに対応し、第３のRFチャネル及び第４のRFチャネルは、それぞれ、第１のRFチャネル及び第２のRFチャネルと比較して異なるRFチャネルに対応する。特定の一実施例として、第３のRF信号は、第１のRFチャネルとは異なる第３のRFチャネルに対応し、第４のRF信号は、第３のRFチャネル及び第２のRFチャネルとは異なる第４のRFチャネルに対応する。このやり方では、種々のサービスプロバイダ（例えば、種々のMVNO）が、種々のRFチャネルマッピングに関連付けられ、種々のサービスプロバイダに関連付けられたトラフィックが、種々のRFチャネルを介したRF信号の送信によって通信される。特定の一実施例として、第１のデバイス１７２に送信されたRF信号が、第２のRFチャネル（例えば、第１のユーザ１６０に関連付けられたRFチャネル）に対応し、第２のデバイス１７４に送信されたRF信号が、第４のRFチャネル（例えば、第２のユーザ１６４に関連付けられたRFチャネル）に対応する。別の特定の一実施態様では、ペイロード１８４の１以上のアンテナが、同じ場所において第２のRF信号と第４のRF信号の送信をオーバーレイするように構成されている。
【００５５】
同じユーザに関連付けられた更なるRF信号は、同じRFチャネルを介して送信され又は受信され得る。特定の一実施例として、プロセッサ１８０は、チャネルマッピングデータに基づいて、且つ、第１のサービスプロバイダ（例えば、第１のユーザ１６０）に基づいて、ペイロード１８４の１以上のアンテナから第１のデバイス１７２への第６のRF信号の送信を開始するように構成されている。この実施例では、第６のRF信号は、RFE１０６からペイロード１８４の１以上のアンテナで受信された第５のRF信号に基づく。第５のRF信号と第６のRF信号は、第１のユーザ１６０に関連付けられているので、第５のRF信号は、第１のRFチャネルに対応し、第６のRF信号は、第２のRFチャネルに対応する。
【００５６】
特定の一実施態様では、人工衛星１０２（例えば、プロセッサ１８０、チャネライザー１０４、又はそれらの両方）が、１以上の受信契約者のデバイスから受信されたRF信号とチャネルマッピングデータ１８６とに基づいて、RF信号をRFE１０６に送る。特定の一実施例として、ペイロード１８４の１以上のアンテナは、第１のデバイス１７２から第２のRFチャネルを介してRF信号を受信し、プロセッサ１８０は、第１のRFチャネルを介したRFE１０６へのRF信号の送信を開始する。RFE１０６は、RF信号を基地局１１８に提供するのに先立って、第１のRFチャネルを介してRF信号を受信し、RF信号を処理する。特定の一実施態様では、第１のRFチャネル（例えば、第１のユーザ１６０に関連付けられたRFチャネル）を介して受信しているRF信号に基づいて、基地局１１８は、処理のために第１のモデムプール１２５のモデム（例えば、第１のモデム１２４）にRF信号を割り当てる。他のCUG（例えば、他のMVNO）に関連付けられた受信契約者のデバイスから人工衛星１０２で受信されたトラフィックは、同様に処理され、RFE１０６を介して基地局１１８に提供される。このやり方では、種々のCUG（例えば、種々のMVNO）に関連付けられた受信契約者のデバイスへ送られる（又はから受信された）トラフィックが、種々のRFチャネル（又は周波数スペクトルの他の部分）を介した通信によって孤立される。種々のRFチャネル（又は周波数スペクトルの他の部分）を介して種々のCUGに関連付けられた通信を実行することは、安全性を高め、サービスプロバイダ（例えば、ユーザ）に関連付けられたデータが、異なるサービスプロバイダに関連付けられたデータと共に処理されることを妨げ得る。
【００５７】
特定の一実施態様では、ビーム形成コントローラ１０８が、種々のサービスプロバイダ（例えば、CUG）に関連付けられたビーム形成情報に基づいて、RF信号を調整する。一実施例として、ビーム形成コントローラ１０８は、メモリ１８２に記憶されたビーム形成データ１１０に基づいて、且つ、第１のRF信号に基づいて（例えば、第１のRF信号がそれを介して受信されるところのRFチャネルに基づいて）、第２のRF信号（例えば、第１のデバイス１７２に送信されるRF信号）を調整するように構成されている。特定の一実施態様では、ビーム形成データ１１０が、容量を購入しシステム１００にアクセスするCUG（例えば、MVNO）に対応するビーム形成重み付けの組を示す。特定の一実施例として、ビーム形成データ１１０は、第１のユーザ１６０に関連付けられたビーム形成重み付けの第１の組、及び、第２のユーザ１６４に関連付けられたビーム形成重み付けの第２の組を示す。
【００５８】
特定の一実施態様では、ビーム形成コントローラ１０８が、ビーム形成重み付けの第１の組に基づいて、第１のユーザ１６０に対応するRF信号を調整し、ビーム形成重み付けの第２の組に基づいて、第２のユーザ１６４に対応するRF信号を調整し得る。RF信号を調整することは、RF信号の、振幅、フェーズ、別の１つの特性、又はそれらの組み合わせを修正することを含む。ビーム形成重み付けに基づいてRF信号を調整することは、ビーム形成重み付けをRF信号に適用することとして言及される。
【００５９】
特定の一実施態様では、ビーム形成コントローラ１０８が、（例えば、第１のユーザ１６０に関連付けられているRF信号に基づいて）ビーム形成データ１１０の１以上の第１のビーム形成重み付けを適用することによってRF信号を調整するように構成され、ビーム形成コントローラ１０８は、（例えば、第２のユーザ１６４に関連付けられている他のRF信号に基づいて）ビーム形成データ１１０の１以上の第２のビーム形成重み付けを適用することによって別のRF信号を調整するように構成されている。ビーム形成重み付けを適用することは、ユーザ特有のビーム形成重み付けに基づいて、RF信号の、フェーズ、振幅、別の１つの特性、又はそれらの組み合わせを調整する。それは、デバイスに対するRF信号の指向性及び空間選択性を増加させ得る。ビーム形成データ１１０（又は特定のユーザに対応する一部分などの、それらの一部分）は、トラフィック負荷パターン又はユーザ（例えば、MVNO）のポリシーにおける変化に従って更新され得る。
【００６０】
特定の一実施態様では、チャネライザー１０４が、第１のRF信号と第３のRF信号に基づいて、複数のビームを生成する。例示のために、RF信号は、チャネライザー１０４のアナログフロントエンド（front-end）において受信され、デジタルドメインに変換され、マルチステージインターコネクトネットワークを通じてスイッチされ、チャネライザー１０４のアナログバックエンド（back-end）によってアナログドメインへ戻されるように変換される。RF信号は、（例えば、チャネルマッピングデータ１８６に基づいて）周波数スペクトルの種々の部分を介して、人工衛星１０２によって展開される。例えば、第１のRF信号は、第１のユーザ１６０に関連付けられた周波数スペクトルの特定の一部分に変換され、第２のRF信号は、第２のユーザ１６４に関連付けられた周波数スペクトルの異なる特定の一部分に変換され得る。人工衛星１０２は、それぞれ、周波数スペクトルの対応する部分を介して、第１のデバイス１７２と第２のデバイス１７４に、第２のRF信号を送信し（例えば、第１のパターン１６２で第２のRF信号に関連付けられた１以上のビームを展開し）、第４のRF信号を送信する（例えば、第２のパターン１６６で第４のRF信号に関連付けられた１以上のビームを展開する）。
【００６１】
種々のCUG（例えば、ティア２事業者又はサービスプロバイダ）のための種々のVRFインスタンスを維持することによって、且つ、種々のRFチャネル（又は周波数スペクトルの他の部分）を介して種々のCUGに関連付けられたトラフィックを通信することによって、システム１００は、ユーザ毎の方式でトラフィックの「エンドトゥエンド」の論理的な孤立を提供し得る。一実施例として、第１のユーザ１６０（例えば、第１のMVNO）に関連付けられたトラフィックは、第２のユーザ１６４（例えば、第２のMVNO）に関連付けられたトラフィックと比較して、第１のVRFインスタンスに基づいてカプセル化され特定される。第１のユーザ１６０に関連付けられたトラフィックは、第２のユーザ１６４（例えば、第２のMVNO）に関連付けられたトラフィックがそれによって経路指定されるところの１以上の経路とは異なり得る１以上の経路を介して、コアネットワーク１３０、及びネットワーク１５６などの、システム１００の構成要素を通して経路指定される。更なる例示のために、第１のユーザ１６０に関連付けられたトラフィックは、第２のユーザ１６４に関連付けられたトラフィックとは異なるRFチャネルを介して、第１のデバイス１７２に送られる（又はから受信される）。ユーザ毎の方式で（例えば、サービスプロバイダ毎の方式で）トラフィックの論理的な孤立を提供することは、全てのサービスプロバイダのトラフィックを共に処理することに比べて、各サービスプロバイダに対する安全性を高める。ユーザ毎の方式でトラフィックを孤立させることは、システム１００の安全性を高める。システム１００の柔軟性も、サービスプロバイダによってトラフィックを孤立させないシステムと比較して高められ得る。例えば、システム１００は、他のサービスプロバイダとは異なる規則又はポリシーに従って、特定のサービスプロバイダ（例えば、ユーザ）に関連付けられたトラフィックを処理するように構成され得る。
【００６２】
上述の説明では、図１のシステム１００によって実行される様々な機能が、構成要素１０２〜１０８、１１８、１３４、１３６、及び１４２によって実行されているように説明された。これは、例示のためのみである。他の実施態様では、構成要素１０２〜１０８、１１８、１３４、１３６、及び１４２のうちの１以上が、多数の構成要素に関連付けられた機能を実行する単一の構成要素内に統合され得る。更に、様々な機能は、メモリ１２２に記憶された指示命令の実行に基づいてプロセッサ１２０によって、又はメモリ１４６に記憶された指示命令の実行に基づいてプロセッサ１４４によって、実行されているように説明された。これは、例示のためのみである。代替的な一実施態様では、プロセッサ１２０によって又はプロセッサ１４４によって実行される１以上の機能が、代わりに、１以上のハードウェア構成要素によって実行される。例えば、第１の構成要素は、組み合わされたRIBデータ１４８と第１のVRFインスタンスRIBデータ１５０に基づいて、パケットを生成し得る。各構成要素は、ハードウェア（例えば、フィールドプログラマブルゲートアレイ（FPGA）デバイス、特定用途向け集積回路（ASIC）、デジタル信号プロセッサ（DSP）、コントローラなど）、ソフトウェア（例えば、プロセッサによって実行可能な指示命令）、又はそれらの組み合わせを使用して実施され得る。
【００６３】
図２は、種々のVRFインスタンスに関連付けられたネットワークトラフィックを処理するように構成されたシステム２００の一実施例を示している。システム２００は、図１の、RFE１０６、基地局１１８、ネットワークデバイス１４２、受信契約者のデータサーバ１３６、及びIPマルチメディアサブシステムサーバ１３４を含む。更に、システム２００は、セルラーシステム２０２、チャネライザー２０４、及びビーム形成コントローラ２０６を含む。構成要素２０２、２０４、２０６、１０６、１１８、１３４、１３６、及び１４２は、システム２００に含まれるように示されているが、他の実施態様では、構成要素２０２、２０４、２０６、１０６、１１８、１３４、１３６、及び１４２のうちの１以上が、含まれない（そして、対応する機能は、残りの構成要素のうちの１以上によって実行される）。
【００６４】
構成要素１０６、１１８、１３４、１３６、及び１４２は、図１を参照しながら説明された動作を実行するように構成されている。チャネライザー２０４とビーム形成コントローラ２０６は、図１のチャネライザー１０４とビーム形成コントローラ１０８を参照しながら説明された動作を実行するように構成されている。一実施例として、チャネライザー２０４は、図１を参照しながら説明されたように、チャネルマッピングデータ２１０に基づいて、種々のRFチャネル（又は周波数スペクトルの他の部分）を介して１以上のデバイスに送信されるためのRF信号を生成する。別の一実施例として、ビーム形成コントローラ２０６は、図１を参照しながら説明されたように、１以上のRF信号の、振幅、フェーズなどを調整するために、ビーム形成データ２０８によって示され且つ特定のユーザ（例えば、MVNO）に関連付けられたビーム形成重み付けに基づいて、１以上のRF信号を調整する。しかし、図２で示されている実施態様では、チャネライザー２０４とビーム形成コントローラ２０６が、（人工衛星内に統合されている代わりに）RFE１０６と基地局１１８との間に通信可能に接続されている。
【００６５】
特定の一実施態様では、チャネライザー２０４によって生成された（そして、RFE１０６によって処理された）RF信号が、セルラーシステム２０２によって１以上の受信契約者のデバイスに送信される（例えば、展開される）。セルラーシステム２０２は、１つの場所から別の１つの場所へRF信号を提供するように構成された、（１以上の）アンテナ、（１以上の）人工衛星、（１以上の）タワーなどの、１以上の構成要素を含む。特定の一実施態様では、セルラーシステム２０２が、地上のセルラーシステムを含み又はそれに相当する。別の特定の一実施態様では、セルラーシステム２０２が、ハイブリッドシステム（例えば、１以上のタワーなどの地上の構成要素、及び１以上の人工衛星）を含み又はそれらに相当する。
【００６６】
動作中に、システム２００は、図１のシステム１００を参照しながら説明されたように、種々のCUG（例えば、ティア２事業者又はサービスプロバイダ）のためにエンドトゥエンドのトラフィックの孤立を提供する。しかし、図１のシステム１００とは対照的に、チャネルマッピングとビーム形成動作は、地上の構成要素によって実行される。例示のために、チャネルマッピングとビーム形成動作は、それぞれ、チャネライザー２０４とビーム形成コントローラ２０６によって実行される。それらは、地上の構成要素であり、RFE１０６と基地局１１８との間に通信可能に接続されている。人工衛星内に統合される構成要素の数を低減させることは、システム２００の費用を減らし修理を容易にし得る。
【００６７】
図３は、図１のシステム１００を介して通信されるネットワークトラフィックの第１の実施例を示すラダー図３００を描いている。特定の一実施態様では、図３で示されている動作が、第１のデバイス１７２、第２のデバイス１７４、人工衛星１０２、チャネライザー１０４、ビーム形成コントローラ１０８、RFE１０６、（第１のモデム１２４と第２のモデム１２６を含む）基地局１１８、図１のネットワークデバイス１４２、セルラーシステム２０２、チャネライザー２０４、図２のビーム形成コントローラ２０６、及び１以上のデバイス３０４によって実行される。利便性のために、人工衛星１０２、チャネライザー１０４、ビーム形成コントローラ１０８、（又はセルラーシステム２０２、チャネライザー２０４、及びビーム形成コントローラ２０６）、並びにRFE１０６が、「システムのフロントエンド」３０２と称される。
【００６８】
図３で描かれているように、第１のデバイス１７２は、基地局１１８とネットワークデバイス１４２を用いて、（１以上の）第１の関連付け動作３１０を実行して、図１のシステム１００（又は図２のシステム２００）と関連する。（１以上の）第１の関連付け動作３１０は、無線リンクアタッチメント動作、ネットワーク登録動作、IMS登録動作、又はそれらの組み合わせを含み得る。
【００６９】
特定の一実施態様では、第１のデバイス１７２が、第１のユーザ１６０（例えば、第１のユーザ１６０のサービスに受信契約している第１のデバイス１７２）に関連付けられ、第１のデバイス１７２は、第３世代パートナーシッププロジェクト（３GPP）標準などの、１以上の無線通信標準に従って、１以上の無線リンクアタッチメント動作を実行する。例示のために、第１のデバイス１７２は、利用可能な事業者の周波数と同期し、マスター情報ブロック（MIB）データとシステム情報ブロック（SIB）データを受信する。MIBデータとSIBデータは、システム１００（又はシステム２００）に関連付けられた利用可能な事業者、及びシステム１００（又はシステム２００）に接続するために使用される情報を示す。第１のデバイス１７２は、ネットワークに取り付けられるために、ランダムアクセスチャネル（RACH）手順を開始する。RACH手順の部分として、第１のデバイス１７２と基地局１１８は、第１のデバイス１７２と第１のモデム１２４との間のMACレイヤ接続の確立をもたらす、ハンドシェイク手順を実行する。
【００７０】
特定の一実施態様では、１以上の無線リンクアタッチメント動作の後に、第１のデバイス１７２が、１以上のネットワーク登録動作を実行する。ある実施態様では、１以上のネットワーク登録動作が、３GPP標準などの１以上の無線標準に従っている。例示のために、第１のデバイス１７２は、MME（例えば、ネットワークデバイス１４２）とのハンドシェイク手順を開始して、それぞれ、第１のデバイス１７２とネットワークのアイデンティティーを確認及び認証する。ハンドシェイク手順の間に、MMEは、装備アイデンティティー登録（EIR）と連携して、第１のデバイス１７２がネットワークにアクセスすることを認証されたことを確認する。MMEとEIRは、ハンドシェイク手順を実行するために各ユーザ（例えば、各MVNO）に対するデータを記憶し維持する。MMEは、コアネットワーク１３０（例えば、進化したパケットコア（EPC）ネットワーク）とのセッションの割り当て及び第１のデバイス１７２への及びからの初期の進化したパケットシステム（EPS）ベアラの確立をもたらす、SGW、PGW、及び基地局１１８を用いて、第２のハンドシェイク手順を管理する。ネットワークデバイス１４２（例えば、MME、SGW、PGW）及び基地局１１８は、各ユーザ（例えば、各MVNO）に関連付けられたデータを記憶し、マルチVRF RIBデータとキュー構造をサポートするように構成されている。第１のデバイス１７２によってリクエストされているサービスに応じて、ネットワークデバイス１４２（例えば、MME、SGW、及びPGW）は、更なるEPSベアラを生成し得る。一旦、１以上の無線リンクアタッチメント動作と１以上のネットワーク登録動作が完了すると、第１のデバイス１７２は、システム１００（又はシステム２００）を介してデータを送受信することができる。
【００７１】
特定の一実施態様では、１以上のネットワーク登録動作が完了した後で、第１のデバイス１７２が、１以上のIMS登録動作を実行する。例示のために、第１のデバイス１７２は、図１又は図２のIPマルチメディアサブシステムサーバ１３４にセッション開始プロトコル（SIP）登録メッセージを送信することによって、IMS登録手順を開始する。IPマルチメディアサブシステムサーバ１３４のプロキシコールセットアップ制御機能（P-CSCF）が、SIP登録メッセージを受信し、P-CSCF、IPマルチメディアサブシステムサーバ１３４の問い合わせCSCF（I-CSCF）、及びIMSベースのサービスにアクセスするために第１のデバイス１７２の認証を確認するIPマルチメディアサブシステムサーバ１３４のサービングCSCF（S-CSCF）、の間のハンドシェイク手順をトリガする。S-CSCFは、テレフォニーアプリケーションサーバ（TAS）ともハンドシェイク手順を実行し、TASが、第１のデバイス１７２に関連付けられたヴォイスオーバーロングタームエボリューション（VoLTE）のためのホーム受信契約者サーバデータベースに問い合わせることを可能にする。第１のデバイス１７２、P-CSCF、及びTASは、その後、ハンドシェイク手順に参加して、第１のデバイス１７２に関連付けられた登録状態に対する将来の変化に気付くために、登録イベントパッケージに対する受信契約を行う。第２のデバイス１７４は、（第２のデバイス１７４が第２のユーザ１６４と関連付けられていることを除いて）（１以上の）第１の関連付け動作３１０に対するのと同様のやり方で、基地局１１８とネットワークデバイス１４２を用いて、（１以上の）第２の関連付け動作３１２を実行する。上述の関連付け動作は、例示的であり非限定的である。他の実施態様では、１以上の他の関連付け動作が実行され、上述の関連付け動作のうちの１以上は実行されない、又はそれらの両方である。
【００７２】
（１以上の）第１の関連付け動作３１０が実行された後で、第１のデバイス１７２は、第１のRF信号３１４をシステムフロントエンドに送る。システムフロントエンドは、第１のRF信号３１４を基地局１１８に送ることに先立って、第１のRF信号３１４を受信し、初期処理（例えば、増幅、フィルタリング、ノイズ低減など）を実行する。第１のモデム１２４は、第１のRF信号３１４を受信し、第１のデータパケット３１６を生成する。第１のデータパケットは、第１のデータ３２０（例えば、第１のRF信号３１４によって示されるデータ）、及び第１の識別子３２２を含む。特定の一実施態様では、第１の識別子３２２が、ラベルを含み又はラベルに相当する。ラベルは、（仮想ローカルエリアネットワーク（VLAN）タグ又は802.1Qタグとも称される）スイッチングタグ、VRFインスタンス識別子、及びオープン最短パスファースト（OSPF）処理識別子（PID）を含む。
【００７３】
第１のデータパケット３１６は、基地局１１８の第１のモデム１２４からネットワークデバイス１４２へ送られる。ネットワークデバイス１４２は、第１のデータパケット３１６を受信し、第１のデータパケット３１６に基づいて第１のパケット３１８を生成する。第１のパケット３１８は、第１のデータ３２０と第１のインジケータ３２４を含む。特定の一実施態様では、ネットワークデバイス１４２が、（例えば、バックボーンRIB又はグローバルVRFインスタンスRIBとも称される）組み合わされたRIBデータ１４８内のVRFインスタンス毎のRIBデータに行われる任意の変化を繰り返すように構成されている。例示のために、組み合わされたRIBデータ１４８は、第１のVRFインスタンスRIBデータ１５０に対する更新に基づいて更新される。更に、第１の識別子３２２は、第１のデータ３２０から剥ぎ取られ、第１のインジケータ３２４が、第１のパケット３１８内に含まれる。第１のインジケータ３２４（例えば、「VRF毎の識別子」）は、第１のユーザ１６０に関連付けられたVRFインスタンスを示す。特定の一実施態様では、第１のインジケータ３２４が、第１のパケット３１８のヘッダー内に含まれる。ある実施態様では、第１のインジケータ３２４が、第１のパケット３１８のヘッダーのソースアドレス又はソースポートの数によって示されている。生成の後で、第１のパケット３１８は、図１又は図２のコアネットワーク１３０とネットワーク１５６を介して、１以上のデバイス３０４に送られる。
【００７４】
（１以上の）第２の関連付け動作３１２が実行された後で、第２のデバイス１７４は、第２のRF信号３３０をシステムフロントエンドに送る。システムフロントエンドは、第２のRF信号３３０を基地局１１８に送ることに先立って、第２のRF信号３３０を受信し、初期処理（例えば、増幅、フィルタリング、ノイズ低減など）を実行する。第２のモデム１２６は、第２のRF信号３３０を受信し、第２のデータパケット３３２を生成する。第２のデータパケットは、第２のデータ３４０（例えば、第２のRF信号３３０によって示されるデータ）、及び第２の識別子３４２を含む。特定の一実施態様では、第２の識別子３４２が、ラベルを含み又はラベルに相当する。ラベルは、スイッチングタグ、VRFインスタンス識別子、及びOSPF PIDを含む。
【００７５】
第２のデータパケット３３２は、基地局１１８の第２のモデム１２６からネットワークデバイス１４２へ送られる。ネットワークデバイス１４２は、第２のデータパケット３３２を受信し、第２のデータパケット３３２に基づいて第２のパケット３３４を生成する。第２のパケット３３４は、第２のデータ３４０と第２のインジケータ３４４を含む。特定の一実施態様では、ネットワークデバイス１４２が、組み合わされたRIBデータ１４８内のVRFインスタンス毎のRIBデータに行われる任意の変化を繰り返すように構成されている。例示のために、組み合わされたRIBデータ１４８は、第２のVRFインスタンスRIBデータ１５２に対する更新に基づいて更新される。更に、第２の識別子３４２は、第２のデータ３４０から剥ぎ取られ、第２のインジケータ３４４が、第２のパケット３３４内に含まれる。第２のインジケータ３４４は、第２のユーザ１６４に関連付けられたVRFインスタンスを示す。特定の一実施態様では、第２のインジケータ３４４が、第２のパケット３３４のヘッダー内に含まれる。ある実施態様では、第２のインジケータ３４４が、第２のパケット３３４のヘッダーのソースアドレス又はソースポートの数によって示されている。生成の後で、第２のパケット３３４は、図１のコアネットワーク１３０とネットワーク１５６を介して、１以上のデバイス３０４に送られる。
【００７６】
図４は、図１のシステム１００又は図２のシステム２００を介して通信されるネットワークトラフィックの第２の実施例を示すラダー図４００を描いている。特定の一実施態様では、図４で示されている動作が、第１のデバイス１７２、第２のデバイス１７４、システムフロントエンド３０２（例えば、人工衛星１０２、チャネライザー１０４、ビーム形成コントローラ１０８、（又はセルラーシステム２０２、チャネライザー２０４、及びビーム形成コントローラ２０６）、並びにRFE１０６）、（第１のモデム１２４と第２のモデム１２６を含む）基地局１１８、並びに図１又は図２のネットワークデバイス１４２、及び図３の１以上のデバイス３０４によって実行される。
【００７７】
図４で描かれているように、ネットワークデバイス１４２は、１以上のデバイス３０４から第３のパケット４０２を受信する。第３のパケットは、第３のデータ４１０と第１のインジケータ３２４を含む。第１のインジケータ３２４は、第１のユーザ１６０に関連付けられたVRFインスタンスを示す。特定の一実施態様では、第１のインジケータ３２４が、第３のパケット４０２のヘッダー内に含まれる。ある実施態様では、第１のインジケータ３２４が、第３のパケット４０２のヘッダーのソースアドレス又はソースポートの数によって示されている。特定の一実施態様では、ネットワークデバイス１４２が、第３のパケット４０２に基づいて、組み合わされたRIBデータ１４８を更新し、組み合わされたRIBデータ１４８に行われた任意の変化を、対応するVRFインスタンス毎のRIBデータに繰り返すように構成されている。例示のために、第１のVRFインスタンスRIBデータ１５０は、組み合わされたRIBデータ１４８に対する更新に基づいて更新される。
【００７８】
ネットワークデバイス１４２は、第３のパケット４０２を受信し、第３のパケット４０２に基づいて第３のデータパケット４０４を生成する。第３のデータパケット４０４は、第３のデータ４１０と第１の識別子３２２を含む。特定の一実施態様では、第１の識別子３２２が、ラベルを含み又はラベルに相当する。ラベルは、（VLANタグ又は802.1Qタグとも称される）スイッチングタグ、VRFインスタンス識別子、及びOSPF PIDを含む。例示のために、第１のインジケータ３２４は、第３のパケット４０２から剥ぎ取られ、第３のデータ４１０は、第１の識別子３２２を有する第３のデータパケット４０４内にカプセル化される。
【００７９】
第１のモデム１２４は、第３のデータパケット４０４を受信し、第３のデータ４１０を調節して、第３のRF信号４０６を生成する。例えば、（第１のユーザ１６０に対応する）第１のVRFインスタンスを特定する第１の識別子３２２に基づいて、第３のデータパケット４０４は、第１のモデム１２４（例えば、第１のユーザ１６０に関連付けられた第１のモデムプール１２５のモデム）で受信され処理される。第３のRF信号４０６は、第３のデータ４１０を表し、（例えば、RFE１０６による）更なる処理のため、及び第１のデバイス１７２への送信のために、システムフロントエンド３０２によって提供される。特定の一実施態様では、第３のRF信号４０６が、第１のユーザ１６０に関連付けられたRFチャネル（又は周波数スペクトルの他の部分）に対応する。
【００８０】
ネットワークデバイス１４２は、１以上のデバイス３０４から第４のパケット４２０も受信する。第４のパケットは、第４のデータ４４０と第２のインジケータ３４４を含む。第２のインジケータ３４４は、第２のユーザ１６４に関連付けられたVRFインスタンスを示す。特定の一実施態様では、第２のインジケータ３４４が、第４のパケット４２０のヘッダー内に含まれる。ある実施態様では、第２のインジケータ３４４が、第４のパケット４２０のヘッダーのソースアドレス又はソースポートの数によって示されている。特定の一実施態様では、ネットワークデバイス１４２が、第４のパケット４２０に基づいて、組み合わされたRIBデータ１４８を更新し、組み合わされたRIBデータ１４８に行われた任意の変化を、対応するVRFインスタンス毎のRIBデータに繰り返すように構成されている。例示のために、第２のVRFインスタンスRIBデータ１５２は、組み合わされたRIBデータ１４８に対する更新に基づいて更新される。
【００８１】
ネットワークデバイス１４２は、第４のパケット４２０を受信し、第４のパケット４２０に基づいて第４のデータパケット４２２を生成する。第４のデータパケット４２２は、第４のデータ４４０と第２のインジケータ３４２を含む。特定の一実施態様では、第２の識別子３４２が、ラベルを含み又はラベルに相当する。ラベルは、（VLANタグ又は802.1Qタグとも称される）スイッチングタグ、VRFインスタンス識別子、及びOSPF PIDを含む。例示のために、第２のインジケータ３４４は、第４のパケット４２０から剥ぎ取られ、第４のデータ４４０は、第２の識別子３４２を有する第４のデータパケット４２２内にカプセル化される。
【００８２】
第２のモデム１２６は、第４のデータパケット４２２を受信し、第４のデータ４４０を調節して、第４のRF信号４２４を生成する。例えば、（第２のユーザ１６４に対応する）第２のVRFインスタンスを特定する第２の識別子３４２に基づいて、第４のデータパケット４２２は、第２のモデム１２６（例えば、第２のユーザ１６４に関連付けられた第２のモデムプール１２７のモデム）で受信し処理される。第４のRF信号４２４は、第４のデータ４４０を表し、（例えば、RFE１０６による）更なる処理のため、及び第２のデバイス１７４への送信のために、システムフロントエンド３０２によって提供される。特定の一実施態様では、第４のRF信号４２４が、第２のユーザ１６４に関連付けられたRFチャネル（又は周波数スペクトルの他の部分）に対応する。
【００８３】
図５は、デバイスに関連付けられたサービスプロバイダ（例えば、ユーザ）に基づいて、デバイスから受信されたネットワークトラフィックを処理する方法５００を示している。特定の一実施態様では、方法５００が、非限定的な実施例として、図１のシステム１００又は図２のシステム２００によって実行される。方法５００は、利便性のために特定のユーザ（例えば、第１のユーザ１６０）に関して説明されており、そのような説明は非限定的である。
【００８４】
方法５００は、５０２において、MVNOに関連付けられた受信契約者のデバイス（例えば、ユーザ装置（ＵＥ）、無線通信ターミナル）が、ネットワークとの関連付けを実行した後で、MVNOに関連付けられたデバイスにアクセス可能な特定のRFチャネルを介して、デバイスからRF信号を受信することを含む。特定の一実施例として、第１のデバイス１７２が、コアネットワーク１３０との関連付けを実行した後で、人工衛星１０２が、第１のユーザ１６０（例えば、第１のMVNO）に関連付けられたRFチャネルを介して、第１のデバイス１７２からRF信号を受信する。
【００８５】
方法５００は、５０４において、RFEでRF信号にフロントエンド処理を実行することを含む。特定の一実施例として、RF信号は、RFE１０６に送信される第２のRF信号（例えば、第１のユーザ１６０に関連付けられた第２のRFチャネルに対応するRF信号）を生成するために使用され、RFE１０６は、第２のRF信号にフロントエンド処理（例えば、増幅、ノイズ低減など）を実行する。
【００８６】
方法５００は、５０６において、デバイスのMVNOとの関連に基づいて、基地局の第１のモデムプールの第１のモデムを割り当てて、RF信号を処理し、データとMVNOに関連付けられた第１のVRFインスタンスの識別子とを含む、データパケットを生成することを含む。特定の一実施例として、基地局１１８は、第１のモデムプール１２５の第１のモデム１２４を割り当てて、（第１のユーザ１６０に関連付けられた第２のRFチャネルに対応する第２のRF信号によって示される）第２のRF信号の第１のユーザ１６０との関連に基づいて、第２のRF信号を処理する。第２のRF信号が割り当てられた後で、第１のモデム１２４は、第１のデータ、及び第１のユーザ１６０に関連付けられた第１のVRFインスタンスを特定する第１のVRFインスタンス識別子を含む、第１のデータパケットを生成する。
【００８７】
方法５００は、５０８において、ネットワークデバイスでパケットを生成することを含む。パケットは、データ、及び組み合わされたRIBデータに基づくVRFインスタンスのインジケータを含むヘッダーを含む。特定の一実施例として、ネットワークデバイス１４２は、第１のデータ、及び組み合わされたRIBデータ１４８に基づく第１のユーザ１６０に関連付けられた第１のVRFインスタンスのインジケータ（例えば、非限定的な例として、ラベル又は５タプル）を含む、第１のパケットを生成する。方法５００は、５１０において、データパケットに基づいて、VRFインスタンスに関連付けられたRIBデータを更新することを含み、５１２において、VRFインスタンスに関連付けられたRIBデータに基づいて、組み合わされたRIBデータを更新することを含む。特定の一実施例として、パケットを生成する前に、ネットワークデバイス１４２は、第１のデータパケットに基づいて、第１のVRFインスタンスRIBデータ１５０を更新し、ネットワークデバイス１４２は、第１のVRFインスタンスRIBデータ１５０に対する更新（又は任意の他のVRF特有のRIBデータに対する更新）に基づいて、組み合わされたRIBデータ１４８を更新する。
【００８８】
方法５００は、５１４において、パケットに基づいて第１のVRFインスタンスに関連付けられた受信契約者の情報を更新することを含む。特定の一実施例として、受信契約者のデータサーバ１３６は、第１のパケットに基づいて、第１の受信契約者のデータ１３８（例えば、第１のユーザ１６０に対応するVRFインスタンスに関連付けられた受信契約者のデータ）を更新する。
【００８９】
方法５００は、５１６において、ネットワークを介してデバイスにパケットを送信することを更に含む。特定の一実施例として、第１のパケットは、第１の経路を介して宛先のデバイスまでコアネットワーク１３０とネットワーク１５６を横断する。第１の経路は、第１のVRFインスタンスRIBデータ１５０によって示され、その経路は、他のVRFインスタンス（及び他のCUG）に関連付けられたパケットによって横断される経路とは異なり得る。
【００９０】
種々のRFチャネル（例えば、周波数スペクトルの種々の部分）を介して種々のCUG（例えば、種々のMVNO）のためのRF信号を通信することによって、且つ、種々のCUGのための種々のVRFインスタンスを維持することによって、方法５００は、種々のCUG（例えば、種々のティア２事業者又はサービスプロバイダ）のためのエンドトゥエンドのネットワークトラフィックの孤立を提供する。エンドトゥエンドのネットワークトラフィックの孤立を提供することは、特定のユーザに関連付けられたデータが、異なるユーザの受信契約者にとってアクセス容易になる可能性を低減させる。
【００９１】
図６は、デバイスに関連付けられたサービスプロバイダに基づいて、デバイスに送信された処理トラフィックを孤立させる方法６００を示している。特定の一実施態様では、方法６００が、非限定的な実施例として、図１のシステム１００又は図２のシステム２００によって実行される。ある実施態様では、方法６００が、図５の方法５００の実行の後で又は図５の方法５００の実行の前に実行される。方法６００は、利便性のために特定のユーザ（例えば、第２のユーザ１６４）に関して説明されており、そのような説明は非限定的である。
【００９２】
方法６００は、６０２において、ネットワークを介して別の１つのデバイスからネットワークデバイスでパケットを受信することを含む。パケットは、データ、及びMVNOに関連付けられたVRFインスタンスのインジケータを含むヘッダーを含む。特定の一実施例として、ネットワークデバイス１４２は、ネットワーク１５６とコアネットワーク１３０を介して、デバイスから第２のパケットを受信する。第２のパケットは、第２のデータ、及び第２のユーザ１６４（例えば、第２のMVNO）に関連付けられた第２のVRFインスタンスの第２のインジケータを示す第２のヘッダーを含む。
【００９３】
方法６００は、６０４において、パケットに基づいてVRFインスタンスに関連付けられた受信契約者の情報を更新することを含む。特定の一実施例として、ネットワークデバイス１４２が第２のパケットを受信することに先立って、受信契約者のデータサーバ１３６が、第２のパケットを受信し、第２のパケットに基づいて第２の受信契約者のデータ１４０を更新する。
【００９４】
方法６００は、６０６において、データ、及びVRFインスタンスに関連付けられたRIBデータに基づくVRFインスタンスの識別子を含む、データパケットを生成することを含む。特定の一実施例として、ネットワークデバイス１４２は、第２のデータ、及び第２のVRFインスタンスRIBデータ１５２に基づく第２のVRFインスタンス識別子を含む、第２のデータパケットを生成する。方法６００は、６０８において、パケットに基づいて、組み合わされたRIBデータを更新することを含み、６１０において、組み合わされたRIBデータに基づいて、VRFインスタンスに関連付けられたRIBデータを更新することを含む。特定の一実施例として、第２のデータパケットを生成することに先立って、ネットワークデバイス１４２は、第２のパケットに基づいて組み合わされたRIBデータ１４８を更新し、ネットワークデバイス１４２は、組み合わされたRIBデータ１４８に対する更新に基づいて、第２のVRFインスタンスRIBデータ１５２を更新する。
【００９５】
方法６００は、６１２において、VRFインスタンス識別子に基づいて、ネットワークデバイスから基地局の第１のモデムプールのモデムへ、データパケットを送信することを含む。データパケットは、データとVRFインスタンス識別子を含む。例示のために、基地局１１８は、（第２のユーザ１６４に関連付けられた第２のモデムプール１２７の）第２のモデム１２６を割り当て、第２のVRFインスタンス（例えば、第２のユーザ１６４に関連付けられたVRFインスタンス）に対応する第２のVRFインスタンス識別子を含む第２のデータパケットに基づいて、第２のデータパケットを処理する。
【００９６】
方法６００は、６１４において、モデムでデータパケットに基づいてRF信号を生成することを含む。特定の一実施例として、第２のモデム１２６は、第２のデータパケットに基づいて第２のRF信号を生成し、フロントエンド処理（例えば、増幅、フィルタリングなど）のために第２のRF信号をRFE１０６に提供する。特定の一実施態様では、第２のモデム１２６が、第２のRF信号を、第２のユーザ１６４に関連付けられた特定の論理的インターフェースに関連付ける（又はRF信号を特定のポートに送る）。
【００９７】
方法６００は、６１６において、特定のRFチャネルを介して、RF信号を、MVNOに関連付けられた受信契約者のデバイスに送信することを更に含む。特定の一実施例として、人工衛星１０２は、第２のユーザ１６４に関連付けられた特定のRFチャネルを介して、RFE１０６から第２のRF信号を受信する。第２のユーザ１６４に関連付けられている第２のRF信号に基づいて、人工衛星１０２（又はチャネライザー）は、第２のユーザ１６４に関連付けられ且つデバイスと人工衛星１０２（又はチャネライザー）との間の通信のために指定された、第２のRFチャネルに対応する、第３のRF信号を生成する。特定の一実施態様では、人工衛星１０２が、第２のRFチャネルを介して、第３のRF信号を第２のデバイス１７４に送信する。
【００９８】
種々のRFチャネル（例えば、周波数スペクトルの種々の部分）を介して種々のCUG（例えば、種々のMVNO）のためのRF信号を通信することによって、且つ、種々のCUGのための種々のVRFインスタンスを維持することによって、方法５００は、種々のCUG（例えば、種々のティア２事業者又は受信契約者）のためのエンドトゥエンドのネットワークトラフィックの孤立を提供する。エンドトゥエンドのネットワークトラフィックの孤立を提供することは、特定のユーザに関連付けられたデータが、異なるユーザの受信契約者にとってアクセス容易になる可能性を低減させる。
【００９９】
図７は、種々のVRFインスタンスに関連付けられたネットワークトラフィックを処理する方法７００を示している。特定の一実施態様では、方法７００が、非限定的な実施例として、図１のシステム１００又は図２のシステム２００によって、例えば、ネットワークデバイス１４２などによって、実行される。
【０１００】
方法７００は、７０２において、基地局からネットワークデバイスで第１のデータパケットを受信することを含む。特定の一実施例として、ネットワークデバイスは、ネットワークデバイス１４２を含み又はそれに相当し、基地局は、図１及び図２の基地局１１８を含み又はそれらに相当し、第１のデータパケットは、図３の第１のデータパケット３１６を含み又はそれに相当する。第１のデータパケットは、第１のデータと第１のVRFインスタンス識別子を含む。特定の一実施例として、第１のデータは、第１のデータ３２０を含み又はそれに相当し、第１のVRFインスタンス識別子は、第１の識別子３２２を含み又はそれに相当する。
【０１０１】
方法７００は、７０４において、ネットワークを介してネットワークデバイスから第１のデバイスへ第１のパケットを送信することを含む。第１のパケットは、第１のデータ、及び第１のVRFインスタンスに関連付けられた第１のインジケータを含む第１のヘッダーを含む。特定の一実施例として、第１のパケットは、第１のパケット３１８を含み又はそれに相当し、第１のインジケータは、図３の第１のインジケータ３２４を含み又はそれに相当する。
【０１０２】
方法７００は、７０６において、基地局からネットワークデバイスで第２のデータパケットを受信することを含む。第２のデータパケットは、第２のデータと第２のVRFインスタンス識別子を含む。特定の一実施例として、第２のデータパケットは、第２のデータパケット３３２を含み又はそれに相当し、第２のデータは、第２のデータ３４０を含み又はそれに相当し、第２のVRFインスタンス識別子は、図３の第２の識別子３４２を含み又はそれに相当する。
【０１０３】
方法７００は、７０８において、ネットワークを介してネットワークデバイスから第２のデバイスへ第２のパケットを送信することを更に含む。第２のパケットは、第２のデータ、及び第２のVRFインスタンスに関連付けられた第２のインジケータを含む第２のヘッダーを含む。特定の一実施例として、第２のパケットは、第２のパケット３３４を含み又はそれに相当し、第２のインジケータは、第２のインジケータ３４４を含み又はそれに相当する。
【０１０４】
特定の一実施態様では、方法７００が、第１のデータパケットに基づいて、第１のVRFインスタンスに関連付けられた第１のRIBデータを生成すること、及び第２のデータパケットに基づいて、第２のVRFインスタンスに関連付けられた第２のRIBデータを生成することを更に含む。特定の一実施例として、第１のRIBデータは、第１のVRFインスタンスRIBデータ１５０を含み又はそれに相当し、第２のRIBデータは、図１及び図２の第２のVRFインスタンスRIBデータ１５２を含み又はそれらに相当する。ある実施態様では、方法７００が、第１のRIBデータと第２のRIBデータに基づいて、組み合わされたRIBデータを生成することを更に含む。特定の一実施例として、組み合わされたRIBデータは、図１及び図２の組み合わされたRIBデータ１４８（例えば、バックボーンRIBデータ）を含み又はそれらに相当する。ある実施態様では、第１のヘッダーと第２のヘッダーが、組み合わされたRIBデータに基づいて生成される。
【０１０５】
別の特定の一実施態様では、方法７００が、第２のVRFインスタンスに関連付けられたデータとは異なるヘッダーを使用して、第１のVRFインスタンスに関連付けられたデータをカプセル化することによって、第１のVRFインスタンスに関連付けられたデータから第２のVRFインスタンスに関連付けられたデータを論理的に孤立させることを更に含む。特定の一実施例として、基地局１１８によって生成され種々のVRFインスタンスに関連付けられたデータパケットは、種々のVRFインスタンス識別子（例えば、図３の第１の識別子３２２と第２の識別子３４２）を含み、ネットワークデバイス１４２によって生成され種々のVRFインスタンスに関連付けられたパケットは、種々のインジケータ（例えば、図３の第１のインジケータ３２４と第２のインジケータ３４４）を含むヘッダーを含む。
【０１０６】
別の特定の一実施態様では、方法７００が、第１のパケットに基づいて第１のVRFインスタンスに関連付けられた第１の受信契約者の情報を更新すること、及び第２のパケットに基づいて第２のVRFインスタンスに関連付けられた第２の受信契約者の情報を更新することを更に含む。別の特定の一実施例として、第１の受信契約者の情報は、図１及び図２の第１の受信契約者のデータ１３８を含み又はそれらに相当し、第２の受信契約者の情報は、図１及び図２の第２の受信契約者のデータ１４０を含み又はそれらに相当する。
【０１０７】
図１から図７のうちの１以上は、本開示の教示によるシステム、装置、及び／又は方法を示し得るが、本開示は、これらの示されたシステム、装置、及び／又は方法に限定されない。本明細書で示され又は説明された図１から図７のうちの何れかの１以上の機能又は構成要素は、図１から図７のうちの別の１以上の他の部分と組み合わされ得る。例えば、図５の方法５００の１以上の要素、図６の方法６００の要素の１以上、図７の方法７００の要素の１以上、又はそれらの組み合わせは、本明細書で説明された他の動作との組み合わせにおいて実行され得る。したがって、本明細書で説明されたどの単一の実施態様も、限定的であると解釈されるべきではなく、本開示の実施態様は、本開示の教示から逸脱することなく適切に組み合わされ得る。一実施例として、図５から図７を参照しながら説明された１以上の動作は、任意選択的なものであり、少なくとも部分的に同時に実行され得、且つ／又は示され又は説明されたものとは異なる順序で実行され得る。
【０１０８】
例えば、別の特定の一実施態様は、第１のモデムプール（１２５）の第１のモデム（１２４）を備える基地局（１１８）を含むシステムを備え、第１のモデム（１２４）は、第１の無線周波数（RF）信号（３１４）に基づいて第１のデータパケット（３１６）を生成するように構成され、第１のデータパケット（３１６）は、第１のデータ（３２０）と第１の仮想ルーティング及び転送（VRF）インスタンス識別子（３２２）とを含み、基地局（１１８）は、第２のモデムプール（１２７）の第２のモデム（１２６）を更に備え、第２のモデム（１２６）は、第２のRF信号（３３０）に基づいて第２のデータパケット（３３２）を生成するように構成され、第２のデータパケット（３３２）は、第２のデータ（３４０）と第２のVRFインスタンス識別子（３４２）を含む。該システムは、更に、基地局（１１８）に接続され且つ第１のデータパケット（３１６）を受信しネットワークを介して第１のパケット（３１８）を第１のデバイスに送信するように構成された、ネットワークデバイス（１４２）を含み、第１のパケット（３１８）は、第１のデータ（３２０）、及び第１のVRFインスタンス識別子に対応する第１のVRFインスタンスに関連付けられた第１のインジケータ（３２４）を含む第１のヘッダーを含み、ネットワークデバイス（１４２）は、更に、第２のデータパケット（３３２）を受信しネットワークを介して第２のパケット（３３４）を第２のデバイスに送信するように構成され、第２のパケット（３３４）は、第２のデータ（３４０）、及び第２のVRFインスタンス識別子に対応する第２のVRFインスタンスに関連付けられた第２のインジケータ（３４４）を含む第２のヘッダーを含む。
【０１０９】
有利なことに、ネットワークデバイス（１４２）は、更に、ネットワークを介して第１のデバイスから第３のパケット（４０２）を受信するように構成され、第３のパケット（４０２）は、第３のデータ（４１０）、及び第１のVRFインスタンスに関連付けられた第３のインジケータ（３２４）を含む第３のヘッダーを含み、ネットワークデバイス（１４２）は、更に、基地局（１１８）の第１のモデム（１２４）に第３のデータパケット（４０４）を送信するように構成され、第３のデータパケット（４０４）は、第３のデータ（４１０）と第１のVRFインスタンス識別子（３２２）を含む。好適には、該システムが、更に、第１のユーザに関連付けられたビーム形成重み付け（１１０、２０８）の第１の組に基づいて、第３のRF信号（４０６）を調整するように構成されたビーム形成コントローラ（１０８、２０６）を備え、第１のユーザは、第１のVRFインスタンスに対応し、第３のRF信号（４０６）は、第３のデータパケット（４０４）に基づいて生成される。
【０１１０】
有利なことに、該システムは、更に、第３のRF信号（４０６）を送信するように構成された無線周波数装備（RFE）（１０６）を備え、第３のRF信号（４０６）は、ネットワークデバイス（１４２）から基地局（１１８）で受信された第３のデータパケット（４０４）に基づいて基地局（１１８）で生成され、第３のデータパケット（４０４）は、第１のVRFインスタンス識別子（３２２）を含む。好適には、該システムが、更に、RF信号の複数の組を生成するように構成されたチャネライザー（１０４、２０４）を備え、RF信号の各組は、RFスペクトルの対応する部分に関連付けられ、RF信号の複数の組は、ユニークユーザ（１６０、１６４、１６８）に関連付けられたRFスペクトルの特定の一部分に関連付けられた少なくとも１つのRF信号を含む。好適には、該システムが、更に、第１の場所においてオーバーレイパターンでRF信号の複数の組を展開するように構成されたセルラーシステム（２０２）を備え、RFスペクトルの特定の一部分は、第１の場所において且つユニークユーザ（１６０、１６４、１６８）に関連付けられたデバイスによってアクセス可能であり、ユニークユーザ（１６０、１６４、１６８）に関連付けられていないデバイスによってアクセス不能である。好適には、セルラーシステム（２０２）が、人工衛星ベースのセルラーシステム又は地上ベースのセルラーシステムを備える。好適には、基地局（１１８）が、複数のVRFインスタンス識別子に関連付けられた複数のモデムプール（１２５、１２７、１２９）を備え、複数のモデムプール（１２５、１２７、１２９）の各モデム（１２４、１２６、１２８）は、対応するVRFインスタンス識別子に関連付けられたトラフィックを処理するように構成されている。好適には、ユニークユーザ（１６０、１６４、１６８）が、第１の仮想移動体通信事業者（MVNO）（１６０）を備え、基地局（１１８）とネットワークデバイス（１４２）は、第１のMVNO（１６０）に関連付けられたトラフィックを、第２のMVNO（１６４）に関連付けられたトラフィックから論理的に孤立させる。
【０１１１】
有利なことに、第１のモデム（１２４）は、更に、第１のVRFインスタンスに関連付けられた第１の暗号化に基づいて第１のデータパケット（３１６）を暗号化するように構成され、更に、第２のモデム（１２６）は、第２のVRFインスタンスに関連付けられた第２の暗号化に基づいて第２のデータパケット（３３２）を暗号化するように構成されている。
【０１１２】
別の特定の一実施態様は、１以上のアンテナを備えたペイロード（１８４）、少なくとも１つの無線周波数（RF）チャネルの異なるRFチャネルへのマッピングを示すチャネルマッピングデータ（１８６）を記憶するように構成されたメモリ（１８２）、及びチャネルマッピングデータ（１８６）に基づいて且つ第１のデバイスに関連付けられた第１のサービスプロバイダに基づいて１以上のアンテナから第１のデバイスへの第２のRF信号の送信を開始するように構成されたプロセッサ（１８０）を含む、人工衛星（１０２）を備え、第２のRF信号は、無線周波数装備（RFE）から１以上のアンテナで受信された第１のRF信号に基づき、第１のRF信号は、第１のRFチャネルに対応し、第２のRF信号は、第１のRFチャネルとは異なる第２のRFチャネルに対応する。
【０１１３】
有利なことに、プロセッサ（１８０）は、更に、チャネルマッピングデータに基づいて且つ第２のデバイスに関連付けられた第２のサービスプロバイダに基づいて、１以上のアンテナから第２のデバイスへの第４のRF信号の送信を開始するように構成され、第４のRF信号は、RFEから１以上のアンテナで受信された第３のRF信号に基づき、第３のRF信号は、第１のRFチャネルとは異なる第３のRFチャネルに対応し、第４のRF信号は、第３のRFチャネル及び第２のRFチャネルとは異なる第４のRFチャネルに対応する。好適には、１以上のアンテナが、同じ場所において第２のRF信号と第４のRF信号の送信をオーバーレイするように構成されている。
【０１１４】
有利なことに、人工衛星（１０２）は、更に、メモリ（１８２）に記憶されたビーム形成データ（１１０）と第１のRF信号とに基づいて第２のRF信号を調整するように構成されたビーム形成コントローラ（１０８）を備え、ビーム形成データ（１１０）は、１以上のサービスプロバイダに関連付けられたビーム形成重み付けの１以上の組を示す。
【０１１５】
有利なことに、プロセッサは、更に、チャネルマッピングデータ（１８６）に基づいて且つ第１のサービスプロバイダに基づいて、１以上のアンテナから第１のデバイスへの第６のRF信号の送信を開始するように構成され、第６のRF信号は、RFEから１以上のアンテナで受信された第５のRF信号に基づき、第５のRF信号は、第１のRFチャネルに対応し、第６のRF信号は、第２のRFチャネルに対応する。
【０１１６】
別の特定の一実施態様は、方法を含み、該方法は、基地局（１１８）からネットワークデバイス（１４２）で第１のデータパケット（３１６）を受信することを含み、第１のデータパケット（３１６）は、第１のデータ（３２０）と第１の仮想ルーティング及び転送（VRF）インスタンス識別子（３２２）とを含み、該方法は、更に、ネットワークを介してネットワークデバイス（１４２）から第１のデバイスへ第１のパケット（３１８）を送信することを含み、第１のパケット（３１８）は、第１のデータ（３２０）、及び第１のVRFインスタンスに関連付けられた第１のインジケータ（３２４）を含む第１のヘッダーを含み、該方法は、更に、基地局（１１８）からネットワークデバイス（１４２）で第２のデータパケット（３３２）を受信することを含み、第２のデータパケット（３３２）は、第２のデータ（３４０）と第２のVRFインスタンス識別子（３４２）を含み、該方法は、更に、ネットワークを介してネットワークデバイス（１４２）から第２のデバイスへ第２のパケット（３３４）を送信することを含み、第２のパケット（３３４）は、第２のデータ（３４０）、及び第２のVRFインスタンスに関連付けられた第２のインジケータ（３４４）を含む第２のヘッダーを含む。
【０１１７】
有利なことに、該方法は、更に、第１のデータパケット（３１６）に基づいて、第１のVRFインスタンスに関連付けられた第１のルーティング情報ベース（RIB）データを生成すること、及び第２のデータパケット（３３２）に基づいて、第２のVRFインスタンスに関連付けられた第２のRIBデータ（１５２）を生成することを含む。好適には、該方法が、更に、第１のRIBデータと第２のRIBデータに基づいて、組み合わされたRIBデータ（１４８）を生成することを含み、第１のヘッダーと第２のヘッダーは、組み合わされたRIBデータ（１４８）に基づいて生成される。
【０１１８】
有利なことに、該方法は、更に、第２のVRFインスタンスに関連付けられたデータとは異なるヘッダーを使用して、第１のVRFインスタンスに関連付けられたデータをカプセル化することによって、第１のVRFインスタンスに関連付けられたデータから第２のVRFインスタンスに関連付けられたデータを論理的に孤立させることを含む。
【０１１９】
有利なことに、該方法は、更に、第１のデータパケット（３１８）に基づいて、第１のVRFインスタンスに関連付けられた第１の受信契約者の情報を更新すること、及び第２のパケット（３３４）に基づいて、第２のVRFインスタンスに関連付けられた第２の受信契約者の情報を更新することを含む。
【０１２０】
本明細書に記載の実施例の図は、様々な実施態様の構造の概略的な理解をもたらすことを意図している。これらの図は、本書に記載された構造又は方法を利用する装置及びシステムのすべての要素及び特徴を網羅的に説明することを意図していない。本開示を精査することで、当業者には、他の多くの実装が明らかになり得る。本開示の範囲を逸脱することなく構造的及び論理的な置換及び変更が行うことができるように、他の実施態様を利用し、他の実装を本開示から引き出すことができる。例えば、方法動作を図に示す順序とは異なる順序で実行してもよく、或いは、１以上の方法動作を省略してもよい。したがって、本開示及び図は、限定的というよりは、むしろ例示的なものと見なすべきである。
【０１２１】
更に、本明細書では具体的な実施例を例示且つ説明してきたが、同一又は類似の結果を実現するよう設計された任意の後続の構成を、図示の特定の実施態様と置き換えてよいことを理解されたい。本開示は、様々な実施態様の後続する任意の又はすべての適用例又は変形例を含むことが意図されている。上述の実装の組み合わせ、及び、本書で特段に説明していない他の実施態様は、本明細書を精査することで当業者には明らかになろう。
【０１２２】
本開示の「要約」は、特許請求の範囲又は意味を解釈したり、又は限定したりするために使用されるものではないとの理解のもとに、提出される。加えて、上記の「発明を実施するための形態」においては、本開示を簡潔にする目的で、様々な特徴が、グループ化されたり、又は、単一の実装形態内で説明されたりする場合がある。上述の実施例は、本発明を説明するが、本発明を限定するものではない。本発明の原理に従って多くの修正例及び変形例が可能であることを理解されたい。むしろ、下記の特許請求の範囲において反映されているように、特許請求される主題は、開示された任意の実施例の全ての特徴よりも少ない特徴を対象としている場合がある。したがって、本開示の範囲は、下記の特許請求の範囲及びその任意の均等物によって規定されるものである。
【図１】
2018201192.tif 000003
【図２】
2018201192.tif 000004
【図３】
2018201192.tif 000005
【図４】
2018201192.tif 000006
【図５】
2018201192.tif 000007
【図６】
2018201192.tif 000008
【図７】
2018201192.tif 000009
【外国語明細書】
2018201192000001.pdf
2018201192000002.pdf
2018201192000003.pdf
2018201192000004.pdf